(57)【要約】【課題】ビジネスシーンなどで突然、手書き文字や、画像データを取り込みたい場面に遭遇した場合、迅速に対応することができない。【解決手段】携帯電話１は被読み取り物１００の画像情報を読み取るスキャナ２と読み取り窓２０と読み取った情報を保存するメモリ８とキーボード７と移動通信網３００との送受信するアンテナ５と無線回路１１と制御回路９とディスプレイ６とパソコン２００のコネクタ２０３とインターフェースするコネクタ３と光によりパソコンの光通信送受信部２０４とインターフェースする光通信回路１２とフォトダイオード４０フォトトランジスタ４１からなる光通信送受信部４と無線送受信部２０５とインターフェースできるように送信電力を落すように調整する送信電力調整回路１０とから構成し、携帯電話に実装したスキャナにより、画像を取り込み、入力情報とし活用するものである。【選択図】      図１
2004179994.tif 000002
【特許請求の範囲】
【請求項１】
携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた情報を外部のパソコンへ転送する場合、携帯電話の主機能として移動通信網との送受信に使用するアンテナと移動通信網との送受信に使用する電波を制御する無線回路とを用いて外部のパソコンの無線送受信部とインターフェースできるように送信電力を落すように調整する送信電力調整回路とを備え、スキャナにより読み取った情報を携帯電話内のメモリに保存し、外部のパソコンへスキャナにより読み取られた情報を携帯電話のアンテナと無線回路を使用して送信電力調整回路により、無線回路の電波の送信出力電力を、移動通信網へは届かない近接のパソコンに届く低出力電力に調整するようにした電波により情報を転送することを特徴とする携帯電話のスキャナシステム。
【請求項２】
携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた情報を外部のパソコンへ転送する場合、スキャナにより読み取られた情報を外部のパソコンのコネクタとインターフェースする有線用のコネクタとを備え、スキャナにより読み取った情報を携帯電話内のメモリに保存し、外部のパソコンへスキャナにより読み取られた情報を携帯電話のコネクタを使用して情報を転送することを特徴とする携帯電話のスキャナシステム。
【請求項３】
携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた情報を外部のパソコンへ転送する場合、スキャナにより読み取られた情報を光により外部のパソコンの光通信送受信部とインターフェースする光信号の送受信を制御する光通信回路と、光通信回路の制御のもとに送信光信号を送信するフォトダイオードおよび受信光信号を受信するフォトトランジスタからなる光通信送受信部とを備え、スキャナにより読み取った情報を携帯電話内のメモリに保存し、外部のパソコンへスキャナにより読み取られた情報を携帯電話の光通信送受信部を使用して情報を転送することを特徴とする携帯電話のスキャナシステム。
【請求項４】
携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイとを備え、スキャナにより読み取られた情報を外部のパソコンへ転送する場合、携帯電話の主機能として移動通信網との送受信に使用するアンテナと移動通信網との送受信に使用する電波を制御する無線回路とを用いて外部のパソコンの無線送受信部とインターフェースし、スキャナにより読み取った情報を携帯電話内のメモリに保存し、外部のパソコンへスキャナにより読み取られた情報を電波により情報を転送することを特徴とする携帯電話のスキャナシステム。
【請求項５】
携帯電話は、被読み取り物の画像情報をイメージ・スキャナ機能で読み取るスキャナと、スキャナの読み取り窓と、スキャナの読み取り窓を経てスキャナにより読み取られた画像情報を画像のままのイメージ情報として、またはイメージ情報を文字情報に変換し、コード情報として保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた画像情報を画像のままのイメージ情報として、またはイメージ情報を文字情報に変換されたコード情報として外部のパソコンのコネクタとインターフェースする有線用のコネクタと、光により外部のパソコンの光通信送受信部とインターフェースする光信号の送受信を制御する光通信回路と、光通信回路の制御のもとに送信光信号を送信するフォトダイオードおよび受信光信号を受信するフォトトランジスタからなる光通信送受信部と、携帯電話の主機能として移動通信網との送受信に使用するアンテナと移動通信網との送受信に使用する電波を制御する無線回路とを用いて外部のパソコンの無線送受信部とインターフェースできるように送信電力を落すように調整する送信電力調整回路とを備え、スキャナにより読み取った情報を携帯電話内のメモリに保存し、外部のパソコンへスキャナにより読み取られた情報を、携帯電話のアンテナと無線回路を使用して送信電力調整回路により、無線回路の電波の送信出力電力を、移動通信網へは届かない近接のパソコンに届く低出力電力に調整するようにした電波により情報を転送し、または、外部のパソコンへスキャナにより読み取られた情報を携帯電話のコネクタを使用して情報を転送し、または、外部のパソコンへスキャナにより読み取られた情報を携帯電話の光通信送受信部を使用して情報を転送することを特徴とする携帯電話のスキャナシステム。
【請求項６】
携帯電話は、被読み取り物の画像情報をイメージ・スキャナ機能で読み取るスキャナと、スキャナの読み取り窓と、スキャナの読み取り窓を経てスキャナにより読み取られた画像情報を画像のままのイメージ情報として、またはイメージ情報を文字情報に変換し、コード情報として保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた画像情報を画像のままのイメージ情報として、またはイメージ情報を文字情報に変換されたコード情報として外部のパソコンのコネクタとインターフェースする有線用のコネクタと、光により外部のパソコンの光通信送受信部とインターフェースする光信号の送受信を制御する光通信回路と、光通信回路の制御のもとに送信光信号を送信するフォトダイオードおよび受信光信号を受信するフォトトランジスタからなる光通信送受信部と、携帯電話の主機能として移動通信網との送受信に使用するアンテナと移動通信網との送受信に使用する電波を制御する無線回路とを備え、移動通信網との送受信に使用するアンテナと移動通信網との送受信に使用する電波を制御する無線回路とを用いて外部のパソコンの無線送受信部とインターフェースし、スキャナにより読み取った情報を携帯電話内のメモリに保存し、外部のパソコンへスキャナにより読み取られた情報を、携帯電話のアンテナと無線回路を使用して電波により情報を転送し、または、外部のパソコンへスキャナにより読み取られた情報を携帯電話のコネクタを使用して情報を転送し、または、外部のパソコンへスキャナにより読み取られた情報を携帯電話の光通信送受信部を使用して情報を転送することを特徴とする携帯電話のスキャナシステム。
【請求項７】
携帯電話のスキャナシステムにおけるスキャン方法であって、携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた情報を外部のパソコンへ転送する場合、携帯電話の主機能として移動通信網との送受信に使用するアンテナと移動通信網との送受信に使用する電波を制御する無線回路とを用いて外部のパソコンの無線送受信部とインターフェースできるように送信電力を落すように調整する送信電力調整回路とを備え、スキャナにより読み取った情報を携帯電話内のメモリに保存し、外部のパソコンへスキャナにより読み取られた情報を携帯電話のアンテナと無線回路を使用して送信電力調整回路により、無線回路の電波の送信出力電力を、移動通信網へは届かない近接のパソコンに届く低出力電力に調整するようにした電波により情報を転送することを特徴とする携帯電話のスキャン方法。
【請求項８】
携帯電話のスキャナシステムにおけるスキャン方法であって、携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた情報を外部のパソコンへ転送する場合、スキャナにより読み取られた情報を外部のパソコンのコネクタとインターフェースする有線用のコネクタとを備え、スキャナにより読み取った情報を携帯電話内のメモリに保存し、外部のパソコンへスキャナにより読み取られた情報を携帯電話のコネクタを使用して情報を転送することを特徴とする携帯電話のスキャン方法。
【請求項９】
携帯電話のスキャナシステムにおけるスキャン方法であって、携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた情報を外部のパソコンへ転送する場合、スキャナにより読み取られた情報を光により外部のパソコンの光通信送受信部とインターフェースする光信号の送受信を制御する光通信回路と、光通信回路の制御のもとに送信光信号を送信するフォトダイオードおよび受信光信号を受信するフォトトランジスタからなる光通信送受信部とを備え、スキャナにより読み取った情報を携帯電話内のメモリに保存し、外部のパソコンへスキャナにより読み取られた情報を携帯電話の光通信送受信部を使用して情報を転送することを特徴とする携帯電話のスキャン方法。
【請求項１０】
携帯電話のスキャナシステムにおけるスキャン方法であって、携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイとを備え、スキャナにより読み取られた情報を外部のパソコンへ転送する場合、携帯電話の主機能として移動通信網との送受信に使用するアンテナと移動通信網との送受信に使用する電波を制御する無線回路とを用いて外部のパソコンの無線送受信部とインターフェースし、スキャナにより読み取った情報を携帯電話内のメモリに保存し、外部のパソコンへスキャナにより読み取られた情報を電波により情報を転送することを特徴とする携帯電話のスキャン方法。
【請求項１１】
携帯電話のスキャナシステムにおけるスキャン方法であって、携帯電話は、被読み取り物の画像情報をイメージ・スキャナ機能で読み取るスキャナと、スキャナの読み取り窓と、スキャナの読み取り窓を経てスキャナにより読み取られた画像情報を画像のままのイメージ情報として、またはイメージ情報を文字情報に変換し、コード情報として保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた画像情報を画像のままのイメージ情報として、またはイメージ情報を文字情報に変換されたコード情報として外部のパソコンのコネクタとインターフェースする有線用のコネクタと、光により外部のパソコンの光通信送受信部とインターフェースする光信号の送受信を制御する光通信回路と、光通信回路の制御のもとに送信光信号を送信するフォトダイオードおよび受信光信号を受信するフォトトランジスタからなる光通信送受信部と、携帯電話の主機能として移動通信網との送受信に使用するアンテナと移動通信網との送受信に使用する電波を制御する無線回路とを用いて外部のパソコンの無線送受信部とインターフェースできるように送信電力を落すように調整する送信電力調整回路とを備え、スキャナにより読み取った情報を携帯電話内のメモリに保存し、外部のパソコンへスキャナにより読み取られた情報を、携帯電話のアンテナと無線回路を使用して送信電力調整回路により、無線回路の電波の送信出力電力を、移動通信網へは届かない近接のパソコンに届く低出力電力に調整するようにした電波により情報を転送し、または、外部のパソコンへスキャナにより読み取られた情報を携帯電話のコネクタを使用して情報を転送し、または、外部のパソコンへスキャナにより読み取られた情報を携帯電話の光通信送受信部を使用して情報を転送することを特徴とする携帯電話のスキャン方法。
【請求項１２】
携帯電話のスキャナシステムにおけるスキャン方法であって、携帯電話は、被読み取り物の画像情報をイメージ・スキャナ機能で読み取るスキャナと、スキャナの読み取り窓と、スキャナの読み取り窓を経てスキャナにより読み取られた画像情報を画像のままのイメージ情報として、またはイメージ情報を文字情報に変換し、コード情報として保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた画像情報を画像のままのイメージ情報として、またはイメージ情報を文字情報に変換されたコード情報として外部のパソコンのコネクタとインターフェースする有線用のコネクタと、光により外部のパソコンの光通信送受信部とインターフェースする光信号の送受信を制御する光通信回路と、光通信回路の制御のもとに送信光信号を送信するフォトダイオードおよび受信光信号を受信するフォトトランジスタからなる光通信送受信部と、携帯電話の主機能として移動通信網との送受信に使用するアンテナと移動通信網との送受信に使用する電波を制御する無線回路とを備え、移動通信網との送受信に使用するアンテナと移動通信網との送受信に使用する電波を制御する無線回路とを用いて外部のパソコンの無線送受信部とインターフェースし、スキャナにより読み取った情報を携帯電話内のメモリに保存し、外部のパソコンへスキャナにより読み取られた情報を、携帯電話のアンテナと無線回路を使用して電波により情報を転送し、または、外部のパソコンへスキャナにより読み取られた情報を携帯電話のコネクタを使用して情報を転送し、または、外部のパソコンへスキャナにより読み取られた情報を携帯電話の光通信送受信部を使用して情報を転送することを特徴とする携帯電話のスキャン方法。
【請求項１３】
携帯電話のスキャナシステムにおけるスキャン処理において、携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた情報を外部のパソコンへ転送する場合、携帯電話の主機能として移動通信網との送受信に使用するアンテナと移動通信網との送受信に使用する電波を制御する無線回路とを用いて外部のパソコンの無線送受信部とインターフェースできるように送信電力を落すように調整する送信電力調整回路とを備え、スキャナにより読み取った情報を携帯電話内のメモリに保存し、外部のパソコンへスキャナにより読み取られた情報を携帯電話のアンテナと無線回路を使用して送信電力調整回路により、無線回路の電波の送信出力電力を、移動通信網へは届かない近接のパソコンに届く低出力電力に調整するようにした電波により情報を転送する処理をコンピュータに実行させるためのプログラム。
【請求項１４】
携帯電話のスキャナシステムにおけるスキャン処理において、携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた情報を外部のパソコンへ転送する場合、スキャナにより読み取られた情報を外部のパソコンのコネクタとインターフェースする有線用のコネクタとを備え、スキャナにより読み取った情報を携帯電話内のメモリに保存し、外部のパソコンへスキャナにより読み取られた情報を携帯電話のコネクタを使用して情報を転送する処理をコンピュータに実行させるためのプログラム。
【請求項１５】
携帯電話のスキャナシステムにおけるスキャン処理において、携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた情報を外部のパソコンへ転送する場合、スキャナにより読み取られた情報を光により外部のパソコンの光通信送受信部とインターフェースする光信号の送受信を制御する光通信回路と、光通信回路の制御のもとに送信光信号を送信するフォトダイオードおよび受信光信号を受信するフォトトランジスタからなる光通信送受信部とを備え、スキャナにより読み取った情報を携帯電話内のメモリに保存し、外部のパソコンへスキャナにより読み取られた情報を携帯電話の光通信送受信部を使用して情報を転送する処理をコンピュータに実行させるためのプログラム。
【請求項１６】
携帯電話のスキャナシステムにおけるスキャン処理において、携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイとを備え、スキャナにより読み取られた情報を外部のパソコンへ転送する場合、携帯電話の主機能として移動通信網との送受信に使用するアンテナと移動通信網との送受信に使用する電波を制御する無線回路とを用いて外部のパソコンの無線送受信部とインターフェースし、スキャナにより読み取った情報を携帯電話内のメモリに保存し、外部のパソコンへスキャナにより読み取られた情報を電波により情報を転送する処理をコンピュータに実行させるためのプログラム。
【請求項１７】
携帯電話のスキャナシステムにおけるスキャン処理において、携帯電話は、被読み取り物の画像情報をイメージ・スキャナ機能で読み取るスキャナと、スキャナの読み取り窓と、スキャナの読み取り窓を経てスキャナにより読み取られた画像情報を画像のままのイメージ情報として、またはイメージ情報を文字情報に変換し、コード情報として保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた画像情報を画像のままのイメージ情報として、またはイメージ情報を文字情報に変換されたコード情報として外部のパソコンのコネクタとインターフェースする有線用のコネクタと、光により外部のパソコンの光通信送受信部とインターフェースする光信号の送受信を制御する光通信回路と、光通信回路の制御のもとに送信光信号を送信するフォトダイオードおよび受信光信号を受信するフォトトランジスタからなる光通信送受信部と、携帯電話の主機能として移動通信網との送受信に使用するアンテナと移動通信網との送受信に使用する電波を制御する無線回路とを用いて外部のパソコンの無線送受信部とインターフェースできるように送信電力を落すように調整する送信電力調整回路とを備え、スキャナにより読み取った情報を携帯電話内のメモリに保存し、外部のパソコンへスキャナにより読み取られた情報を、携帯電話のアンテナと無線回路を使用して送信電力調整回路により、無線回路の電波の送信出力電力を、移動通信網へは届かない近接のパソコンに届く低出力電力に調整するようにした電波により情報を転送し、または、外部のパソコンへスキャナにより読み取られた情報を携帯電話のコネクタを使用して情報を転送し、または、外部のパソコンへスキャナにより読み取られた情報を携帯電話の光通信送受信部を使用して情報を転送する処理をコンピュータに実行させるためのプログラム。
【請求項１８】
携帯電話のスキャナシステムにおけるスキャン処理において、携帯電話は、被読み取り物の画像情報をイメージ・スキャナ機能で読み取るスキャナと、スキャナの読み取り窓と、スキャナの読み取り窓を経てスキャナにより読み取られた画像情報を画像のままのイメージ情報として、またはイメージ情報を文字情報に変換し、コード情報として保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた画像情報を画像のままのイメージ情報として、またはイメージ情報を文字情報に変換されたコード情報として外部のパソコンのコネクタとインターフェースする有線用のコネクタと、光により外部のパソコンの光通信送受信部とインターフェースする光信号の送受信を制御する光通信回路と、光通信回路の制御のもとに送信光信号を送信するフォトダイオードおよび受信光信号を受信するフォトトランジスタからなる光通信送受信部と、携帯電話の主機能として移動通信網との送受信に使用するアンテナと移動通信網との送受信に使用する電波を制御する無線回路とを備え、移動通信網との送受信に使用するアンテナと移動通信網との送受信に使用する電波を制御する無線回路とを用いて外部のパソコンの無線送受信部とインターフェースし、スキャナにより読み取った情報を携帯電話内のメモリに保存し、外部のパソコンへスキャナにより読み取られた情報を、携帯電話のアンテナと無線回路を使用して電波により情報を転送し、または、外部のパソコンへスキャナにより読み取られた情報を携帯電話のコネクタを使用して情報を転送し、または、外部のパソコンへスキャナにより読み取られた情報を携帯電話の光通信送受信部を使用して情報を転送する処理をコンピュータに実行させるためのプログラム。
【発明の詳細な説明】
【０００１】
【発明の属する技術分野】
本発明は携帯電話のスキャナシステムとスキャン方法に関し、特に現在大多数の人が所持している携帯電話にスキャナ機能を実装させることにより、ビジネスシーンなどで突然データを取り込みたい場面に遭遇した場合も迅速に対応することができ、また文字データを取り込めることから携帯電話やパソコンへの入力を容易にできる携帯電話のスキャナシステムとスキャン方法に関する。
【０００２】
【従来の技術】
従来のスキャナにおいて小型のイメージ・スキャナ（ハンディタイプ）は存在する。しかしながら次のような課題がある・手書き文字や、画像データを取り込みたいときにパソコンとスキャナが必要（携帯性に欠ける）であること。
【０００３】
従来の技術として、特開２０００−１０８９３号公報がある（特許文献１参照。）。
【０００４】
これは、携帯情報端末装置に内蔵されたメール通信機能をパソコン側からも有効利用可能とすることである。
【０００５】
ＣＰＵは、赤外線通信装置を利用してデスクＰＣとの間でＰＣリンク処理を実行し、表示部に表示した初期メニュー画面において「ＰＣリンク」ボタンが操作されると、ＰＣリンク関係を設定するため、まずチェック信号をデスクＰＣに送信して応答を確認した後、ＰＣリンク信号をデスクＰＣに送信してリンク状態を確立して、表示中のメニュー画面内に「メール転送」ボタンを表示する。ＣＰＵは、デスクＰＣからメール送信要求があれば、メール通信プログラムを起動してメールウインドウ画面を表示部に表示して、メール本文を入力させるとともに、デスクＰＣから送信対象のファイル、データを受信すると、メール本文に添付して無線通信インターフェースにより外部の通信サービスセンターに対する無線メール送信を実行する。
【０００６】
携帯情報端末装置に内蔵されたメール通信機能をパソコン側からも有効利用可能とすることである。
【０００７】
この携帯通信端末装置は、近接した位置にある所定のデータ処理装置との通信接続によりデータ送受信を行う第１の通信手段と、公衆回線網を介して遠隔地にある任意の通信装置との無線通信を行う第２の通信手段と、前記第１の通信手段により受信された前記データ処理装置からの転送データを受信して前記第２の通信手段により当該受信データを所望する任意の相手先に対して送信させる第１の送信制御手段と、前記第２の通信手段により前記公衆回線網を介して遠隔地にある通信装置から受信されたデータを前記第１の通信手段により前記所定のデータ処理装置にデータ転送させる第２の送信制御手段と、を具備したことを特徴としている。
【０００８】
この携帯通信端末装置によれば、第１の通信手段が近接した位置にある所定のデータ処理装置との通信接続によりデータ送受信を行い、第２の通信手段が公衆回線網を介して遠隔地にある任意の通信装置との無線通信を行い、第１の送信制御手段が、前記第１の通信手段により受信された前記データ処理装置からの転送データを受信して前記第２の通信手段により当該受信データを所望する任意の相手先に対して送信させ、第２の送信制御手段が、前記第２の通信手段により前記公衆回線網を介して遠隔地にある通信装置から受信されたデータを前記第１の通信手段により前記所定のデータ処理装置にデータ転送させる。
【０００９】
したがって、データ処理装置では無線通信ソフトウエアを用意する必要がなくなり、データ処理装置から携帯通信端末装置の無線通信機能を有効に利用して、遠隔地の所望の通信装置との間でデータの送受信を行うことが可能になる。
【００１０】
この携帯通信端末装置の効果としては、データ処理装置では無線通信ソフトウエアを用意する必要がなくなり、データ処理装置から携帯通信端末装置の無線通信機能を有効に利用して、遠隔地の所望の通信装置との間でデータの送受信を行うことが可能になる。
【００１１】
また、データ処理装置では無線メール通信ソフトウエアを用意する必要がなくなり、データ処理装置から携帯通信端末装置の無線メール通信機能を有効に利用して、遠隔地の所望の通信装置との間でメールの送受信を行うことが可能になる。
【００１２】
さらに、携帯通信端末装置において遠隔地の通信装置から受信されたデータは、直ちにデータ処理装置に転送されるため、例えば、メモリ容量が限られた携帯通信端末装置側では処理できないデータをデータ処理装置側で直ちに開いて利用することが可能となる。
【００１３】
また、従来技術として、特開２０００−１６５５７０号公報がある（特許文献２参照。）。
【００１４】
これは、イメージスキャナにおけるインターフェースケーブルや電源ケーブルなどの接続コードを無くすこと。
【００１５】
原稿を読み取り、電気信号に変換するためのイメージセンサと、読み取った前記電気信号を信号処理し、画像データを出力する画像処理／シーケンス制御回路と、前記画像データを一時的に格納するためのハードディスクと、前記ハードディスクに格納された画像データと、画像データを特定するための情報とを関連づけた画像情報を無線通信により送信する通信制御回路とを有する。
【００１６】
従来は、イメージスキャナの多くはＳＣＳＩやＩＥＥＥ１２８４等のインターフェースでホストコンピュータと接続し、ホストコンピュータ上のアプリケーションソフトによって制御して使用しなければならなかった。また、外部電源を必要とするために携帯性に欠けるという問題があった。
【００１７】
この上記問題点を鑑みてなされたものであり、インターフェースケーブルや電源ケーブルなどの接続コードを無くす（コードレス化）と共に、簡単な操作で画像を読み取り、画像データに送信先情報およびファイル識別情報を添付した画像情報を送信することにより、目的のコンピュータまたはファイル装置に画像情報を送付することができる携帯型画像読取装置を提供することを目的とする。
【００１８】
また、内部電源による電力供給先を管理して電力を有効利用し、また、バッテリー残量を検知して、バッテリー残量の表示またはバッテリー切れの警告を行うことができる携帯型画像読取装置を提供することを目的とする。
【００１９】
この携帯型画像読取装置は、原稿を読み取り、電気信号に変換するための撮像手段と、読み取った前記電気信号を信号処理し、画像データを出力する信号処理手段と、前記画像データを一時的に格納するための一時記憶手段と、前記一時記憶手段に格納された画像データと、画像データを特定するための情報とを関連づけた画像情報を無線通信により送信する無線通信手段とを有する。
【００２０】
上記構成により、インターフェースケーブルや電源ケーブルなどの接続コードを無くすことができる。
【００２１】
前記無線通信手段による画像情報の送信先を入力する通信先入力手段を更に有する。また、前記通信先入力手段により入力された送信先のリストを記憶する通信先記憶手段と、前記通信先記憶手段に記憶された送信先のリストから、１つを選択する通信先選択手段とを更に有する。上記構成により、簡単な操作で目的のコンピュータまたはファイル装置に画像情報を送付することができる。
【００２２】
また、前記画像情報の送信および原稿の読み取り開始を指示するための操作手段を更に有する。上記構成により、簡単な操作で画像情報の送信および原稿の読み取り開始を指示することができる。
【００２３】
また、携帯用内部電源と、前記操作手段による操作に応じて、前記携帯用内部電源からの電力供給を制御する電源制御手段とを更に有する。また、前記操作手段による画像情報の送信または原稿の読み取りが指示された場合に、指示された処理を行うのに十分な電力が前記携帯用内部電源に残されているか否かを判定し、充分でない場合には警告を発する手段を更に有する。
【００２４】
上記構成により、内部電源装置のバッテリー残量を検知して、バッテリー切れの警告を行うことができる。
【００２５】
前記電源制御手段は、前記操作手段による操作が一定時間以上無い場合に、前記携帯用内部電源から電力供給を停止する。上記構成により、電力を有効利用することができる。更に好ましくは、前記操作手段により前回指示された動作の内容に応じて、前記所定時間を変化させる。
【００２６】
また、携帯用内部電源と、前記携帯用内部電源の消耗状態に関する表示をする手段とを更に有する。上記構成により、内部電源装置のバッテリー残量を検知して、バッテリー残量の表示を行うことができる。
【００２７】
前記携帯用内部電源は、電池または充電可能なバッテリーである。
【００２８】
また、前記操作手段により原稿の読み取りが指示された場合に、前記一時記憶手段に原稿の画像データを格納できる容量が残されているか否かを判断する容量判断手段を更に有し、前記容量判断手段が前記一時記憶手段の容量が不足していると判断した場合に、前記一時記憶手段に記憶された画像データ中に未送信の画像データがあるか否かを判断し、ある場合には該画像データの送信を、原稿の読み取りに先だって行うように制御する制御手段を有する。
【００２９】
前記一時記憶手段に記憶された画像データ中に未送信の画像データが無い場合には、前記制御手段は、前記一時記憶手段の空き容量を用いて、原稿の部分読み出しおよび送信を交互に行うように制御する。上記構成によれば、一時記憶手段の容量が足りない場合にも、簡単な操作で画像を読み取り、目的のコンピュータまたはファイル装置に画像情報を送付することができる。
【００３０】
また、前記無線通信手段により前記画像情報の送信を行うための、収納可能なアンテナを更に有する。上記構成により、インターフェースケーブルや電源ケーブルなどの接続コードを無くすことができる。
【００３１】
また、前記操作手段により原稿の読み取り開始を指示すると、画像情報の送信開始を自動的にスケジュールする送信計画管理手段を更に有する。上記構成により、簡単な操作で目的のコンピュータまたはファイル装置に画像情報を送付することができる。
【００３２】
また、前記操作手段により原稿の読み取り開始を指示すると、画像情報送信先と通信を開始し、通信回線の状態と前記一時記憶手段の状態に応じて通信を制御する通信制御手段を更に有する。簡単な操作で目的のコンピュータまたはファイル装置に画像情報を送付することができる。
【００３３】
また、前記画像データを複数に分割したファイル情報として送信するための送信制御手段を更に有する。上記構成によれば、画像データに送信先情報およびファイル識別情報を添付した画像情報を送信することができる。
【００３４】
また、前記画像データにメッセージを添付して送信するための送信制御手段を更に有する。上記構成によれば、画像データに送信先情報およびファイル識別情報を添付した画像情報を送信することができる。
【００３５】
また、前記画像データに送信元のエリアコードまたは送信開始時刻または原稿読み取り開始時刻を添付して送信するための送信制御手段を更に有する。上記構成によれば、画像データに送信元情報およびファイル識別情報を添付した画像情報を送信することができる。
【００３６】
また、前記画像データを指定フォーマットのファイルとして扱い、電子メールに添付して送信可するための送信制御手段を更に有する。上記構成によれば、画像データに送信先情報およびファイル識別情報を添付した画像情報を送信することができる。
【００３７】
前記無線通信手段が携帯電話として使用可能な通信手段である。
【００３８】
また、前記通信先記憶手段と、前記画像情報の送信先とを関連づけるための送信先制御手段を更に有する。上記構成により、簡単な操作で目的のコンピュータまたはファイル装置に画像情報を送付することができる。
【００３９】
また、原稿の読み取り時は、撮像手段に対して電力を供給し、携帯電話として使用する時は電話機能に関係のない回路への電力供給を停止するように制御する電源制御手段を更に有する。上記構成により、電力を有効利用することができる。
【００４０】
以上説明したように、効果として、インターフェースケーブルや電源ケーブルなどの接続コードを無くす（コードレス化）と共に、より簡単な操作で画像情報を読み取り、画像情報に送信先情報およびファイル識別情報を添付して目的のコンピュータまたはファイル装置に画像情報を送付するように構成することにより、操作性および携帯性を高くすることができる。
【００４１】
また、内部電源による電力供給先を管理して電力を有効利用し、更に、内部電源装置のバッテリー残量を検知して、バッテリー残量の表示またはバッテリー切れの警告を行う様にすることにより画像読み取り中のバッテリー切れや通信途中でのバッテリー切れを回避することができる。
【００４２】
また、従来技術として、特開２０００−３３２９４３号公報がある（特許文献３参照。）。
【００４３】
これは、出先などで、新聞記事や雑誌、写真などを読取って、ネットワーク上に存在する通信端末器や、電子メールＢＯＸなどに画像データとして送信して蓄積出来るようにした携帯情報端末器を提供する。
【００４４】
静止画情報を、画像データとして蓄積する画像読取部と、通信アドレスを予め登録する通信アドレス登録部と、各種データを無線信号として、通信アドレスを指定して送信する通信ネットワークインターフェースを備えた通信制御部と、画像データを、通信ネットワークインターフェースで処理可能な信号形式に変換するデータ変換処理部と、通信制御と画像処理に必要な機能を少なくとも備えた信号処理部と、表示部と、操作部とを備え、画像データを、通信アドレス登録部に登録した通信アドレスに自動送信する構成としている。
【００４５】
ところで、従来の携帯情報端末器では、相手先の通信端末器との間で通話をしたり、ショートメッセージのやりとりを行う機能しかなかった。
【００４６】
そこで、上記事情を考慮して、絵、文字、写真などの静止画情報を、通信ネットワークに接続される通信端末器や、メールサーバなどの各種サーバに画像データとして送信し、蓄積する機能を更に備えた携帯情報端末器を提供することにした。
【００４７】
そこで、第１の携帯情報端末器では、絵、文字、写真などの静止画情報をＣＣＤカメラを用いたスキャナで読み取り、画像データとして蓄積する画像読取部と、通信ネットワークに接続される各種サーバや、電子メールアドレスなどの通信アドレスを予め登録する通信アドレス登録部と、通信ネットワークに対して、各種データを無線信号として、上記通信アドレスを指定して送信する通信ネットワークインターフェースを備えた通信制御部と、画像読取部に蓄積した画像データを、上記通信ネットワークインターフェースで処理可能な信号形式に変換するデータ変換処理部と、通信制御と画像処理に必要な機能を少なくとも備えた信号処理部と、表示部と、操作部とを備え、画像読取部に蓄積した画像データを、通信アドレス登録部に登録した通信アドレスに自動送信して、電子データとして格納させる構成としているここに、各種のサーバとは、例えば、ＷＷＷサーバ、メールサーバ、ＦＴＰサーバなど、通信ネットワークに存在するすべてのサーバを含んでいる。
【００４８】
また、第２の携帯情報端末器では、画像読取部に代えて、電子カメラを備えている。
【００４９】
ここでは、第１の携帯情報端末器とは異なり、絵、文字、写真などを離れた位置から被写体画像として読み取ることができる。
【００５０】
また、第３の携帯情報端末器では、通信アドレス登録部には、画像読取部、あるいは電子カメラに蓄積された２次元コードの画像情報を、通信アドレスに自動変換して登録される構成にしている。
【００５１】
また、第４の携帯情報端末器では、マイク、スピーカを有した通話部を更に備えており、携帯電話としても使用することができる。
【００５２】
また、第５の携帯情報端末器では、メモ情報付加部を更に備え、画像データには、表示部を見ながら、カタカナや英文字などの変換機能を備えたテンキーなどを使用して、文字などのメモ情報が付加出来るようにしている。
【００５３】
また、第６の携帯情報端末器では、音声メモ付加部を更に備え、画像データには、マイクを通じて入力された音声メモを付加出来るようにしている。
【００５４】
また、第７の携帯情報端末器では、ＧＰＳアンテナと、このＧＰＳアンテナで受信した位置データを、通信ネットワークインターフェースの処理可能な信号形式に変換する位置データ変換処理部を更に備えている。
【００５５】
したがって、この携帯情報端末器は、ハンディ型のナビゲーション機能を備えている。
【００５６】
効果として、以上の説明からも理解できるように、第１の携帯情報端末器では、出先などで、これはと思うような新聞や雑誌の記事があれば、それらを、その場で自己の電子メールボックスなどに電子データとして格納保存することができるので、プライベートな電子ライブラリー（情報バンク）が実現できる。
【００５７】
また、画像読取部で画像データを読み取り、読み取った画像データを、通信アドレス登録部に登録した通信アドレスに送信できるので、絵、文字、写真などの静止画情報を、通信ネットワークに接続される通信端末器や、メールサーバなどの各種サーバに画像データとして送信し、蓄積することができる。
【００５８】
第２の携帯情報端末器では、画像読取部に代えて、電子カメラを備えているので、静止画情報から離れた位置から、シャッターを操作するだけで画像データを読み取ることができる。
【００５９】
第３の携帯情報端末器では、通信アドレス登録部には、画像読取部、あるいは電子カメラに蓄積された２次元コードの画像情報を、通信アドレスに自動変換して登録されるので、例えば名刺や雑誌、広告記事などに印刷された２次元コードを読み取るだけで、通信アドレスを登録することができ、便利である。
【００６０】
第４の携帯情報端末器では、マイク、スピーカを有した通話部を更に備えているので、この携帯情報端末器を携帯電話やＰＨＳなどとして使用することができる。
【００６１】
第５の携帯情報端末器では、メモ情報付加部を更に備え、画像データには、文字などのメモ情報が付加されるので、送信すべき画像データに任意のメモ書きすることができ、便利である。
【００６２】
第６の携帯情報端末器では、音声メモ付加部を更に備え、画像データには、マイクを通じて入力された音声メモが付加されるので、送信すべき画像データに任意の音声メモを付加することができ、便利である。
【００６３】
第７の携帯情報端末器では、ＧＰＳアンテナで受信した位置データを、位置データ変換処理部で、通信ネットワークインターフェースの処理可能な信号形式に変換するので、位置データを、登録された通信アドレスを指定して送信することができ、これを受信した通信端末器では、受信した位置データに基づいて、携帯情報端末器の所在を確認することができる。
【００６４】
また、従来技術として、特開２００１−１２５６６９号公報がある（特許文献４参照。）。
【００６５】
これは、携帯型の小型の装置で、小説などの文字情報や図形情報等を適宜表示することを可能とする。
【００６６】
画像表示部及び本体部を有する携帯型情報表示装置を構成し、この装置に対してＣＤ−ＲＯＭ、ＭＯ等の外部記録媒体或いは携帯電話等の通信手段を介して小説、各種旅情報等を入力し、例えば旅先の車中或いは旅館等で所望の小説を読んだり、或いは文字情報に対応する音声情報を再生することによりイヤホーンやスピーカー等により音声情報として得る。これにより嵩張り、かつ重い書籍や資料等を携帯する必要がなくなる。
【００６７】
上記のような場合、小説等はその嵩及び重量を考慮して所謂文庫本等の軽量、小型の冊子を持っていくことが多いが、このような小型の冊子であっても部数が多くなれば限られた荷物の中では嵩張り、かつその重量も無視できないものとなる。このため一部の書籍の携帯を断念せざるを得ない場合が生じることもまた我々のよく経験するところである。また、旅先では読書のための光量を常時十分確保できるとは限らず、読書に適さない光量で読書せざるを得ない場合も当然生じる。
【００６８】
上記の問題点に鑑み構成された装置であって、液晶等の表示材による表示手段と、所望の情報をこの表示手段に表示させる操作部とを有する読み出し装置であって、当該読み出し装置は例えばＹシャツのポケットに入る程度の小型の形状に形成され、小説等のデータが記録されているＣＤ−ＲＯＭ等の外部記録媒体、或いは携帯電話等の無線手段を介して外部からデータを取り込み、このデータを表示手段を介して表示することにより、嵩がありかつ重量も嵩む書籍や書類を携帯しないでその内容を読むことを可能に構成した携帯型情報表示装置である。
【００６９】
効果として、以上に示したように、小説をはじめとする文字情報、或いは画像情報等を小型の携帯型情報表示装置において再生しこれを読んだり見たりすり、或いは聞いたりすることが可能となる。
【００７０】
また、従来技術として、特開２００１−２０３８３７号公報がある（特許文献５参照。）。
【００７１】
これは、携帯用電話機から画像の送信及び受信が容易に行なえるファクシミリ機能付携帯電話機を提供する。
【００７２】
液晶ディスプレーからなる表示手段を筐体の正面に配置するとともに、光学的に走査することによって画像データを読取る光学走査手段（スキャナー）からなる入力手段を筐体の背面に配置している。
【００７３】
そのため、入力手段で原稿をなぞって読取られた画像が、入力手段での読取り中に、表示手段上で直ちに認識できる。
【００７４】
従来においては、入力部の具体的な構成が明示されていないとともに、表示部に対して入力部がどのような関係に配置されているのかも明示されておらず、現実的でない。
【００７５】
このファクシミリ機能付携帯電話機は、入力部の構成を具体化するとともに、表示部に対して入力部がどのような関係に配置されているかを具体化した操作性のよいファクシミリ機能付携帯電話機の提供を目的としている。
【００７６】
この目的を達成するために、このファクシミリ機能付携帯電話機では、画像データの入力手段と、ファクシミリ通信の送受信データと画像データとの変換を行なうデータ処理手段と、送受信するファクシミリデータを画像表示する表示手段とを備えたファクシミリ機能付携帯電話機において、入力手段は、光学的に走査することによって画像データを読取る光学走査手段から形成されるとともに、表示手段は液晶ディスプレーから形成され、入力手段、表示手段は、入力手段での画像データの読取り中に、読取った内容を表示手段で認識できる位置関係で筐体上に配置されている。
【００７７】
たとえば、表示手段は筐体の正面に、入力手段は筐体の背面に設けられる。この構成では、読み取られる画像を表示手段で確認しながら、入力手段で画像の読取りができ、画像の読取りが確実に行なえる。
【００７８】
効果として、上記のように、このファクシミリ機能付携帯電話機によれば、入力手段での画像データの読取り中に、表示手段を見ることにできる関係に、入力手段、表示手段を配置しているため、表示手段で画像を確認しながら、入力手段で読取りが行なえる。
【００７９】
入力手段を光学走査手段（スキャナー）とすることにより、入力手段が小型化できるとともに、画像の読取りが容易に行なえる。また、液晶ディスプレーを表示手段とすることにより、表示手段が小型化できるとともに鮮明に表示できる。
【００８０】
下端面との間で筐体の背面に斜面部を形成し、この斜面部で筐体の背面に入力手段を設ければ、表示手段に表示された画像データが容易に認識できる。
【００８１】
筐体をヒンジを介して折り畳み可能に複数の部材、たとえば２つに分けて形成され、入力手段を筐体の一方の部材の内面に、表示手段を筐体の残る部材の外面にそれぞれ配設すれば、入力手段による読取り中に、表示手段が立ち上った状態となるため、表示手段に表示された画像データが容易に認識できる。
【００８２】
入力手段を起動・停止させるスキャナースイッチ、送信する画像データを確定するファックススイッチだけでなく、読取った画像データを表示手段上でスクロールするスクロールスイッチを設ければ、スクロールキーを操作することにより、任意の画像データを迅速、容易に確認できる。
【００８３】
また、バッファメモリに記憶された画像データを削除するクリアキーを設ければ、画像データが容易に更新できる。
【００８４】
画像の格納だけでなく、音声も格納できるバッファメモリを採用すれば、無線電話を切った後、会話を再生でき、会話内容を確認できる。
【００８５】
画像の認識だけでなく、文字も認識可能なＯＣＲ機能を有するスキャナーを入力手段として採用するとともに、計算キーを筐体正面に設ければ、ファクシミリ機能に加えて計算機能も持つことができる。
【００８６】
計算キーを加算の“＋”キーのみとすれば、キーの数が減り、筐体正面がスペース的に簡潔化されるにも拘らず、ほとんどの計算が支障なく行なえる。
【００８７】
また、従来技術として、特開２００１−２３８０３７号公報がある（特許文献６参照。）。
【００８８】
これは、ユーザが所望する画像を簡単に携帯電話機へ取り込める携帯電話機用の画像作成装置及び画像作成システムを提供する。
【００８９】
携帯電話機を接続させた後、まず携帯電話機の機種を選択させ、ＣＣＤカメラ又はスキャナのいずれで対象物を取り込むかを選択させる。ＣＣＤカメラによる撮影が選択されると、ＣＣＤカメラによる撮影を行って携帯電話機用の画像を作成する。
【００９０】
一方、スキャナによる画像の取り込みが選択されると、スキャナによる画像の取り込みを行って携帯電話機用の画像を作成する。その後、ユーザの確認を待って携帯電話機へ画像を送信する。
【００９１】
着メロと異なり、壁紙・着キャラといった画像は携帯電話機上で作成できない。したがって、従来は例えばインターネットの情報サイトからダウンロードして携帯電話機に画像を取り込むのが一般的であった。しかしこの場合は、携帯電話機に取り込める画像が情報サイトにアップロードされた画像に限定されてしまう。
【００９２】
従来、自分で取った写真などの画像を携帯電話機へ取り込もうとすれば、以下に示すいずれかの方法で行わなければならなかった。第１の方法は、画像取り込みを行うサービス業者を利用するものである。
【００９３】
このサービスは、画像として取り込みたい写真又はネガをユーザが持ち込むと、スキャナで画像データに変換し、インターネット上のサーバへアップロードすると共にユーザに電子メールを使用して通知する、というものである。この場合、ユーザは電子メールによる通知があると、指定されたＵＲＬより画像をダウンロードする。
【００９４】
第２の方法は、ユーザ自らがパーソナルコンピュータを用いて画像の取り込みを行うものである。この場合、ディジタルカメラやスキャナを用いて画像データを作成して携帯電話機に取り込む。しかしながら、上記第１の方法においては、サービス業者が全国的に少ないこと、サービス業者への依頼から画像がサーバへアップロードされるまでに多くの時間を要すること、サービスに対する料金が比較的高いこと等が問題として挙げられる。
【００９５】
また、ダウンロードする情報が画像となれば、データ量が多くなるため、ダウロードにかかる料金が高くなる。特に、現行はパケット方式によるものとなっていたため、データ量に比例した料金がかかる。
【００９６】
一方、上記第２の方法においては、パーソナルコンピュータが必要となるだけでなく、ディジタルカメラや、スキャナといった周辺機器と共に、携帯電話機とパーソナルコンピュータとを接続するためのケーブルが必要になる。
【００９７】
また、携帯電話機に合わせて画像を加工し携帯電話機へ画像を取り込むためのソフトウェアが必要となってくる。そしてさらには、一連の作業を行うためのコンピュータに関する知識が必要となってくる。
【００９８】
上述した問題点を解決するためになされたものであり、ユーザが所望する画像を簡単に携帯電話機へ取り込める携帯電話機用の画像作成装置及び画像作成システムを提供することを目的とする。
【００９９】
上述した目的を達成するためになされたこの画像作成装置は、ケーブル、報知手段、案内手段、操作情報入力手段、画像取込手段、画像作成手段及び画像送信手段を備えている。
【０１００】
ケーブルは、携帯電話機を接続するためのコネクタをその一端に有しており、このケーブルを介して本装置に携帯電話機が接続される。なお、ここでいう携帯電話機には、携帯電話と称されるものの他、ＰＨＳ（パーソナル・ハンディホン・システム）と呼ばれる通信方式の電話機も含む。
【０１０１】
報知手段は、ユーザに対する情報報知を行うための手段であり、ＣＲＴや液晶を用いて表示を行う表示装置や、音声を出力する音声出力装置などが一例として挙げられる。もちろん報知手段がここに挙げた両方の装置を備えることも考えられる。
【０１０２】
案内手段は、このような報知手段を用いた案内を行う。この案内は、本装置の操作に関連するものが中心となる。操作情報入力手段は、例えば押しボタン式やレバー式のスイッチとして実現することが考えられ、この操作情報入力手段を介して、案内手段による案内に応じたユーザ操作情報が入力される。
【０１０３】
画像取込手段は、対象物を画像として取り込むものであり、例えば対象物の反射光を受光して電気信号に変換する手段などが該当する。例えば、ＣＣＤカメラ又はスキャナの少なくともいずれか一方を用いて構成することが考えられる。少なくともいずれか一方であるから、ＣＣＤカメラのみを備えていてもよいし、スキャナのみを備えていてもよいし、あるいは両方を備えていてもよい。
【０１０４】
上述した操作情報入力手段を介して入力されるユーザ操作情報に基づき、画像作成手段が、画像取込手段に画像の取込を指示する。そして、画像取込手段にて取り込まれた画像から携帯電話機用の画像を作成する。その後、画像送信手段が、ケーブルを介して接続された携帯電話機に対し、画像作成手段にて作成された画像のデータを送信する。
【０１０５】
つまり、取り込まれた画像が、携帯電話機用の画像として作成され、さらに、ケーブルで接続された携帯電話機へ送信される。したがって、従来のサービス業者に依頼する場合と比較して、ユーザが画像を取得するまでに要する時間が数分というように極端に短縮される。
【０１０６】
また、携帯電話機へ画像を取り込む際のダウンロードが必要ないため、また、人件費が一般的に大きくなるという前提の下、ユーザ操作以外には人手を介さず画像作成がなされるため、画像作成に対する料金を大幅に引き下げることができる。さらに、パーソナルコンピュータを用いて画像を作成する場合と比べ、ユーザは案内手段による案内に応じた操作を行えばよく、特別の知識を必要としない。すなわち、ユーザが所望する画像を簡単に、携帯電話機へ取り込むことができる。
【０１０７】
ところで、上述したように画像取込手段がＣＣＤカメラとスキャナの両方を備える構成とすれば、ＣＣＤカメラを用いて立体的な対象物（例えばユーザの顔）を画像として取り込むこともでき、また、スキャナを用いて平面的な対象物（例えばユーザの持参した写真・イラスト）を画像として取り込むこともできる。したがって、より多くの対象物を画像として取り込むことができる。
【０１０８】
このように画像取込手段による画像取込方法が複数存在する場合、ユーザ操作を簡単にするという観点から、案内手段が画像取込手段による画像取込方法の選択をユーザに促す構成とすることが考えられる。
【０１０９】
このときは、画像作成手段が、ユーザ操作情報として入力される画像取込方法の選択情報に基づき、当該選択された画像取込方法で画像を取り込むよう画像取込手段に指示する。このような構成とすれば、画像取込方法が複数存在する場合であっても、ユーザの操作が簡単になり、その結果、より多くの対象物を画像として、しかも簡単に携帯電話機へ取り込める。
【０１１０】
なお、画像作成手段にて画像が作成されると即座に画像送信手段が当該画像を送信する構成としてもよいが、作成された画像がユーザの意図したものとなっているか否かを確認できるようにすると便利である。
【０１１１】
そこで、上述した報知手段が表示装置を備えている前提の下、案内手段が、画像作成手段にて作成された画像を表示装置に表示してユーザの確認を促すようにするとよい。この場合、画像送信手段は、ユーザ操作情報としてユーザの確認が得られると、画像作成手段にて作成された画像を送信する。つまり、作成された画像を携帯電話機へ送信するに先だって、ユーザに提示するのである。そして、ユーザの確認が得られてはじめて、携帯電話機へ送信する。ユーザの確認が得られない場合には、再度画像の作成をやり直すようにすることが考えられる。
【０１１２】
このようにすればユーザは、意図したものに極力近い画像を携帯電話機へ取り込むことができる。この点においても、従来のサービス業者に依頼する場合より勝る結果となる。サービス業者に依頼する場合は、サーバにアップロードされる前に画像を確認できないためである。
【０１１３】
ところで、携帯電話機には多くの機種が存在する。このため、案内手段が、携帯電話機の機種選択をユーザに促すようにしてもよい。この場合、画像送信手段は、ユーザ操作情報として入力される機種選択情報に基づき、当該選択された機種に対応して作成された画像を送信する。
【０１１４】
このようにすれば、１台の画像作成装置で複数の機種に対応する画像を簡単に作成できるため便利である。
【０１１５】
なお、本画像作成装置の普及を図る意味において、取り込んだ画像を加工できる構成にするとさらによい。例えば、画像取込手段によって取り込まれた画像から携帯電話機用の画像を作成するにあたり、画像表現の変換、画像の切り出し、又は画像の合成の少なくともいずれか一つを、上述した画像作成手段が実行できる構成とすることが考えられる。
【０１１６】
この場合は、案内手段が画像作成手段による画像作成方法の選択をユーザに促し、画像送信手段は、ユーザ操作情報として入力される画像作成方法の選択情報に基づき、当該選択された画像作成方法で作成された画像を送信する。
【０１１７】
このとき、最終的に携帯電話機へ送信される画像がユーザの選択した方法で作成されたものであればよく、例えば上述したように携帯電話機への送信に先立って画像をユーザに提示する構成であれば、複数の画像作成方法で作成された画像をユーザに提示するようにし、ユーザは作成された複数の画像を実際に見て画像作成方法を選択するようにしてもよい。
【０１１８】
ここで「画像表現の変換」とは、例えば携帯電話機がカラー液晶ディスプレイを備える機種であれば、通常はカラーの画像を作成するが、これをモノクロ画像やセピアカラーの画像に変換することが考えられる。また、画像の色彩を変えることはもちろん、画像をシャープなものとしたり、逆に画像をボカしたりしてもよい。さらに、特定のアルゴリズムによって画像を水彩画風にしたり、画像を歪ませたりすることも考えられる。
【０１１９】
「画像の切り出し」とは、例えばスキャナで取り込んだ写真画像の一部分だけを選択的に取り出すことを意味する。また、「画像の合成」は、例えば２枚の画像から１枚の画像を作成することをいう。
【０１２０】
画像の合成を考えると、さらに、画像を予め記憶した画像記憶手段を備え、画像作成手段が、画像記憶手段に記憶された画像を用いて携帯電話機用の画像を作成できるようにするとよい。この場合、例えばフレーム画像や背景画像などを画像記憶手段に予め記憶しておき、ユーザが選択したフレーム画像や背景画像を、取り込んだ画像に合成することが考えられる。
【０１２１】
このように画像を加工できる構成とすれば、１枚の画像から作成できる携帯電話機用の画像のバリエーションが増え、ユーザのあそび心を刺激することができるため、結果として本装置の普及が図られる。
【０１２２】
なお、上述したように画像記憶手段を備える構成であれば、画像記憶手段に有名なキャラクタ・歌手の画像を記憶しておき、画像記憶手段に記憶された画像のみを用いて携帯電話機用の画像を作成することも考えられる。このような場合を含め、画像記憶手段に記憶する画像は定期的に更新することが望ましい。
【０１２３】
そこで、さらに、外部装置との通信手段を備える構成とし、通信手段を介して携帯電話機用の画像の作成に関連する情報である画像作成関連情報を取得するようにするとよい。ここで画像作成関連情報は、上述したような画像記憶手段に記憶される画像であることが考えられる。また、機種の選択が可能な構成であれば、選択肢となる機種の情報などであってもよい。このようにすれば、例えば画像記憶手段に記憶される画像などの画像作成関連情報を簡単に更新することができるという点で有利である。
【０１２４】
ところで、上述してきた画像を静止画像に限定する必要はない。例えばＣＣＤカメラを用いたときのように画像取込手段にて取り込まれる画像が動画像である場合、画像作成手段は、携帯電話用の画像として動画像を作成できるようにすることも考えられる。この場合、送信対象となる携帯電話機で再生可能な形式の動画像データを作成する。
【０１２５】
以上携帯電話機用の画像作成装置として説明してきたが、例えば上述した画像作成装置を備えた画像作成システムとして実現することもできる。このシステムでは、ユーザが料金を投入することで画像作成装置が機能する。つまり、アーケードゲーム機と同様に、ユーザが数百円という料金で手軽に利用できる一体化されたシステムとして構成すれば、さらなる普及を図ることができる。
【０１２６】
また、従来技術として、特開２００２−７２４６号公報がある（特許文献７参照。）。
【０１２７】
これは、繁雑な操作をなくし、誰もが格別な熟練性を不要として取り扱うことができ、特にインタ−ネットの使用や、購入したい商品の発注作業を誤動作なく容易になし得ることができるようにした通信システムとする。
【０１２８】
液晶表示窓でインタ−ネット情報を閲覧し、テンキ−を入力用キ−ボ−ドとして使えるサ−ビスを附帯した携帯電話機にバ−コ−ドリ−ダ−を電気的に接続し、前記携帯電話機の電子メ−ルのモ−ドを選択して、予めバ−コ−ド化された題名、宛先、本文のデ−タを前記バ−コ−ドリ−ダ−で読み込み、その読み込んだデ−タを送信先へ送信することとし、インタ−ネットにおけるホ−ムペ−ジ上へ直接デ−タを入力することとし、バ−コ−ドリ−ダ−の携帯電話機への電気的接続はコネクタを介してなされることとし、バ−コ−ドリ−ダ−はバッテリ−内蔵のペンスキャナタイプとしたこととする。
【０１２９】
近時、ＮＴＴ移動通信網が携帯電話の液晶表示窓でインタ−ネット情報を閲覧できるようにしたサ−ビス（ｉモ−ド）を開始している。このサ−ビスによって移動中（モバイル状態）であってもインタ−ネットを据え置きパソコンと同等に使用することができるようになった。
【０１３０】
しかしながら、現在では未だかかる機械の操作になじめない人々も多く、便利なインタ−ネット上での買い物等が自在に行えない場合もある。
【０１３１】
そこで、上記した従来の実情、問題点に着目してなされたもので、かかる問題点を解消して、繁雑な操作をなくし、誰もが格別な熟練性を不要として取り扱うことができ、特にインタ−ネットの使用や、購入したい商品の発注作業を誤動作なく容易になし得ることができるようにした通信システムを提供することを目的としている。
【０１３２】
この目的を達成するために、これに係る通信システムは液晶表示窓でインタ−ネット情報を閲覧し、テンキ−を入力用キ−ボ−ドとして使えるサ−ビスを附帯した携帯電話機にバ−コ−ドリ−ダ−を電気的に接続し、前記携帯電話機の電子メ−ルのモ−ドを選択して、予めバ−コ−ド化された題名、宛先、本文のデ−タを前記バ−コ−ドリ−ダ−で読み込み、その読み込んだデ−タを送信先へ送信することを特徴とし、インタ−ネットにおけるホ−ムペ−ジ上へ直接デ−タを入力することを特徴とし、バ−コ−ドリ−ダ−の携帯電話機への電気的接続はコネクタを介してなされることを特徴とし、バ−コ−ドリ−ダ−はバッテリ−内蔵のペンスキャナタイプとしたことを特徴としている。
【０１３３】
かかる構成としたことによって操作者はバ−コ−ドのデ−タ読み取り作業と、送信ボタンスイッチの入力のみで済み、非常に簡便に作業を行えることとなり、特に商品の購入には至便で、使用の仕方によってはハンディタ−ミナルの代替としても用いることができることとなるのである。
【０１３４】
効果として、これに係る通信システムは上述のように構成されている。そのために、誰もが格別の熟練性を必要とせず、目的とする通信作業を実行することができ、受注者側としてはカタログ等にバ−コ−ドデ−タをプリント付加することでアクセスの増大が見込めることとなる。また、かかる通信システムによれば通信費用や消費電力等を節減でき、モバイル対応としても良好なものとなる。
【０１３５】
また、従来技術として、特開２００２−２７５４４号公報がある（特許文献８参照。）。
【０１３６】
これは、無線通信手段を有するノートブック型ＰＣのような携帯型情報機器をデータ保存装置として利用し、データの保存が容易であり、余分な手間を省くことができるデータ蓄積システムを提供する。
【０１３７】
データ出力装置としてのペンスキャナと、データ保存装置としてのノートブック型ＰＣと、データ確認用端末としての携帯端末とが設けられている。ペンスキャナは、文書中の文字列等をイメージとして読取り、その画像データをノートＰＣに送る。ノートＰＣは、その画像データから縮小画像データを生成して携帯端末に送る。携帯端末の画面に縮小画像が表示されると、利用者はそれを見て保存すべきデータか否かを判断し、保存すべきデータの場合は保存命令を携帯端末から入力しノートＰＣに転送する。
【０１３８】
例えば、ビジネスマンが出張等の外出時にノートブック型ＰＣを携帯し、外でデータ収集を行う際にノートブック型ＰＣの記憶装置に必要なデータを保存する機会が多くなってきている。このような場合に上記の無線通信が利用できれば、ノートブック型ＰＣを鞄の中に入れたままで、データ出力装置から無線通信によって送信されるデータをノートブック型ＰＣの記憶装置にデータを保存することが可能になる。
【０１３９】
しかしながら、現状では、ノートブック型ＰＣを鞄から出してデータ送信側の情報機器と所定の通信ケーブルで接続し、受信したデータを画面上で確認しながら必要なデータを記憶装置に保存するのが一般的である。ブルートゥースプロトコルによる無線通信が利用可能になっても、保存すべきデータをノートブック型ＰＣの画面上で確認しながら行っていたのでは、ノートブック型ＰＣを鞄の中に入れたままでデータを保存することはできない。
【０１４０】
また、携帯電話や携帯端末は小型化、軽量化、低廉化等の制約から、十分な記憶容量の内装記憶装置を備えることが困難である。そこで、携帯電話や携帯端末の記憶装置に一時記憶した操作及びその結果得られる情報の履歴データをノートブック型ＰＣに転送し、ノートブック型ＰＣの内蔵記憶装置に保存する利用形態が考えられる。こうすれば、過去の多くの履歴データを保存しておくことができるので、同じ情報が必要になったときに情報源に再度アクセスしなくても、ノートブック型ＰＣの内蔵記憶装置からその情報を取り出すことが可能となる。
【０１４１】
しかしながら、この場合、携帯電話又は携帯端末の記憶容量が満杯になって記憶データが消される前に、ノートブック型ＰＣへ記憶データを転送する操作が必要である。この操作は余分な手間であり、また、忘れないように実行することが困難な場合もある。
【０１４２】
上記のような問題点に鑑みて為されたものであり、無線通信手段を有するノートブック型ＰＣのような携帯型情報機器をデータ保存装置又は履歴記録再生装置として利用し、データの保存が容易であり、余分な手間を省くことができるデータ蓄積システムを提供することを目的とする。
【０１４３】
このデータ蓄積システムの第１の構成は、利用者が必要とするデータを出力するデータ出力装置と、データ出力装置から与えられたデータの一部を保存する手段を有するデータ保存装置とからなるデータ蓄積システムにおいて、前記データ保存装置と無線通信可能な携帯端末であって、前記データ出力装置から前記データ保存装置に与えられたデータを表示し、保存すべきデータか否かを確認するための表示部を有するデータ確認用端末を追加したことを特徴とする。
【０１４４】
上記のような構成によれば、ノートブック型ＰＣのようなデータ保存装置を鞄の中に入れたままで、データ出力装置から前記データ保存装置に与えられたデータを無線通信によってＰＤＡのようなデータ確認用端末に転送し、その表示部に表示させ、保存すべきデータか否かを確認することができる。
【０１４５】
好ましくは、データ確認用端末が、保存すべきデータのフィルタリングを自動的に行う機能を有する。また、データ確認用端末が、転送されてきたデータの中から保存すべきデータを切り出し、又は加工した後、データ保存装置へ送り返す機能を備えていることも好ましい。
【０１４６】
例えば、データ出力装置から前記データ保存装置に与えられるデータが画像データである場合、データ確認用端末がその縮小画像（サムネイル画像）を生成して表示部に表示する機能を有することも好ましい。
【０１４７】
データ出力装置としては、飲食店や商店におけるＰＯＳ端末、金融機関におけるＡＴＭ等の用途が考えられる。この場合、データ出力装置から前記データ保存装置に与えられるデータは、例えば金銭の授受に関する明細データである。
【０１４８】
あるいは、美術館や百貨店の中の複数箇所に備えられた展示物や商品の説明データの出力装置も考えられる。更に、公共の場所や乗り物内に設置された情報伝達装置もデータ出力装置となり得る。
【０１４９】
このデータ蓄積システムの第２の構成は、無線通信手段を有する履歴対象装置と、無線通信手段を有する履歴記録再生装置とからなるデータ蓄積システムにおいて、前記履歴対象装置は、操作及びその結果得られる情報の履歴データを取得するデータ読取り手段を備え、該データ読取り手段が取得した履歴データを前記無線通信手段によって前記履歴記録再生装置へ送信するように構成され、前記履歴記録再生装置は、前記履歴対象装置から受信した履歴データを同期的に記録することを特徴とする。
【０１５０】
上記のような構成によれば、携帯電話や携帯端末のような記憶容量の少ない携帯機器の操作及びその結果得られる情報の履歴データが携帯機器の記憶装置に保存されると同時に、データ読取り手段によって取得され無線通信手段によって履歴記録再生装置へ送信される。そして、履歴記録再生装置（例えばノートブック型ＰＣ）の十分な記憶容量を有する記憶装置に履歴データが蓄積される。
【０１５１】
したがって、別途の操作を要することなく、携帯電話や携帯端末のような携帯機器の履歴データのバックアップが履歴記録再生装置によって容易に得られる。
【０１５２】
また、例えば携帯機器を用いてインターネットから情報を得るような場合に、過去の多くの取得情報を履歴記録再生装置に蓄積することができるので、同じ情報が必要になった場合に、再度稲インターネットに接続することなく、履歴記録再生装置に蓄積された情報の中から所望の情報を取り出すことができる。
【０１５３】
また、所望のホームページ等の情報を一通りダウンロードし、インターネットとの接続を解除した後に、取得した情報を履歴記録再生装置でじっくり見ることにより、接続料金を節約することが可能になる。
【０１５４】
好ましくは、複数の履歴対象装置が特有の識別子を有し、履歴記録再生装置が各履歴対象装置の認証を行う。これにより、履歴記録再生装置は必要な履歴対象装置からのデータのみを処理対象とすることができる。また、複数の履歴対象装置から得られた情報を識別子を用いて一括管理することにより、データの集約・統合が可能になる。
【０１５５】
また、履歴対象装置が利用者を特定する認証手段を有し、履歴記録再生装置が履歴対象装置からのデータを利用者毎に記録することも好ましい。これにより、複数の利用者が１つの履歴対象装置を共同使用する場合に、利用者毎のデータを選別して記録することが可能になる。
【０１５６】
また、履歴記録再生装置が記録したデータを読み出して履歴対象装置に送り返し、履歴対象装置は受信したデータを再表示する構成も好ましい。これにより、履歴記録再生装置を直接操作することなく、履歴対象装置の画面上で記録したデータを見ることができる。
【０１５７】
また、履歴対象装置側で、履歴記録再生装置による履歴データの記録開始及び記録停止を制御できることが好ましい。また、履歴対象装置が、操作及びその結果得られる情報の履歴データの表示・非表示を切り換える機能を有し、非表示が選択されたときは履歴データを逐次表示しないで、一括して記録することも好ましい。これにより、記録に要する時間を短縮することができる。
【０１５８】
また、履歴記録再生装置は、履歴データを記録する際に、履歴管理情報をも保存し、この履歴管理情報を履歴対象装置に送ることにより、履歴対象装置は前回送信時の履歴データとの差分のデータのみを履歴記録再生装置に転送するように構成されていることも好ましい。これにより、重複データの記録を回避することができる。
【０１５９】
また、履歴対象装置における情報取得手順を履歴記録再生装置にあらかじめ記録しておき、履歴対象装置は、履歴記録再生装置から送信される情報取得手順にしたがって記録すべきデータを取得して履歴記録再生装置へ順次送信するように構成されていることも好ましい。これにより、定型化したダウンロードのような操作を自動化することができる。
【０１６０】
また、履歴記録再生装置が、データの処理方法を定義した情報をあらかじめ記憶しておき、この情報にしたがって履歴データに処理を行った後に記録するように構成されていることも好ましい。例えば、履歴データを利用者にとって必要な情報に要約し、あるいは履歴データの傾向を把握しやすいデータに変換して記録することが考えられる。
【０１６１】
効果として、以上に説明したように、本データ蓄積システムによれば、データ保存装置と無線通信可能なデータ確認用端末を設け、これによって保存すべきデータか否かを確認するので、ノートブック型ＰＣのようなデータ保存装置を鞄の中に入れたままで、データ出力装置から前記データ保存装置に与えられたデータをデータ確認用端末で確認しながら、必要なデータのみを保存することができる。
【０１６２】
また、履歴対象装置と履歴記録再生装置とからなるデータ蓄積システムにおいて、携帯電話や携帯端末のような記憶容量の少ない履歴対象装置で得られた大量のデータを無線通信によってノートＰＣのような履歴記録再生装置に転送し、その大容量記憶装置に記録することができるので、データのバックアップ及び再読み出しが容易になる。
【０１６３】
また、従来技術として、特開２００２−１３２７３８号公報がある（特許文献９参照。）。
【０１６４】
これは、名刺交換機能を有すると共に他人の名刺データの整理を容易にすることができる携帯情報端末装置を提供すること。
【０１６５】
この携帯情報端末装置は、情報出力部としてのディスプレイ部を有し、携帯可能に形成され、スキャナーを備えたことを特徴とする。
【０１６６】
ビジネスマンの間では携帯情報端末装置（ｐｅｒｓｏｎａｌ  ｄｉｇｉｔａｌａｓｓｉｓｔａｎｔｓ，  以下ＰＤＡともいう）が普及し、会議等へ出席する場合や面会の際にノート等の紙媒体を持たずにＰＤＡにメモをとったりＰＤＡで議事録を作成するケースが増加している。
【０１６７】
会議等へ出席する場合、初対面の相手に対する紹介の代表的な方法として名刺交換という慣習が想起される。
【０１６８】
従来は、面会又は会議の際に互いに名刺を交換しあい、持ち帰って保存、整理及び利用等をするのが慣行であった。
【０１６９】
交換しあった名刺を持ち帰った後に、名刺交換した他人の名刺データを自己の有するＰＤＡに入力して利用する場合もあるが、この場合、その他人の氏名、住所、会社名及び電話番号等の名刺データの記録は手作業による入力で行わなければならなかった。しかしながら、このような手作業によるデータの入力は時間がかかり、面倒なものである。
【０１７０】
このような問題に鑑み、従来技術には、お互いの有する携帯情報端末装置に記録されたデータを送受信しあってデータを交換する情報処理装置が提案されている。このような装置を用いれば、受け取った名刺のデータを手作業により入力するという煩雑さは回避できるが、相手がＰＤＡを持っていない場合には、受け取った名刺のデータを手作業により入力する必要があった。
【０１７１】
また、面会又は会議時に名刺交換をした際に、受け取った名刺をＰＤＡ本体と蓋体の間に挟みこんで持参したり持ち帰る人がいるが、ＰＤＡはこのような使用方法を想定していないため、ＰＤＡ本体と蓋体との間から名刺が用意に抜け落ちてしまうことがあった。この問題を解決するため、名刺ホルダを備えた携帯情報端末装置が存在する。このような携帯情報端末装置によれば、ある程度の枚数の名刺を携帯情報端末装置が備える名刺ホルダに保持することができるが、名刺の枚数が増加した場合には蓋体を閉じることができなくなるため、物理的に保持し得る名刺の枚数が限定されてしまう。
【０１７２】
従って、目的は、名刺交換機能を有すると共に他人の名刺データの整理を容易にすることができる携帯情報端末装置を提供することにある。
【０１７３】
前記課題を解決する第１の携帯情報端末装置は、情報入出力部としてのディスプレイ部を有し携帯可能に形成された携帯情報端末装置であって、スキャナーを備えたことを特徴とする携帯情報端末装置である。かかる構成とすることにより、スキャナーから名刺データを携帯情報端末装置に読み込むことができ、データ整理を容易にすることができるようになる。
【０１７４】
また、第２の携帯情報端末装置は、表面が平坦な筺体構造の装置本体と、回動保持手段により前記装置本体に開閉可能に取り付けられた蓋体とからなり、スキャナーが前記蓋体の裏面に設けられていることを特徴とする携帯情報端末装置である。かかる構成とすることにより、携帯情報端末装置の利用者はかかる装置を携帯することができるとともに、スキャナーから名刺データを携帯情報端末装置に読み込むことができ、データ整理を容易にすることができるようになる。
【０１７５】
また、第３の携帯情報端末装置は、第１および第２の携帯情報端末装置において、データ記憶部を有し、該データ記憶部に記憶されている名刺データを他の情報端末装置に送信する送信手段と、他の情報端末装置から送信されてきた名刺データを受信する受信手段とを有する携帯情報端末装置である。かかる構成とすることにより、この携帯情報端末装置の利用者は、自己の名刺データを他人の有する携帯情報端末装置に送信することができると共に、他人の名刺データを受信することができるようになり、お互いに名刺交換をすることができると共に名刺のデータ整理が容易になる。
また、第４の携帯情報端末装置は、第１〜第３のいずれかの携帯情報端末装置において、アドレス帳データ記憶部を有し、スキャナーから読み込んだ名刺データ、又は他の情報端末装置から送信されてきた名刺データを前記アドレス帳データ記憶部において用いられるデータ形式に変換しアドレス帳データとして記憶させる機能を有するＯＣＲ制御部を有する携帯情報端末装置である。かかる構成とすることにより、取り込んだデータをアドレス帳のデータ形式として利用できるので、検索、その他の利用に好都合なデータベースを構成することが可能となる。
【０１７６】
また、第５の携帯情報端末装置は、第１〜第４のいずれかの携帯情報端末装置において、前記アドレス帳データと、スキャナーから読み込んだ名刺データ、又は他の情報端末装置から送信されてきた名刺データとを所定に関連付けるリンク手段を有する携帯情報端末装置である。かかる構成とすることにより、名刺データとアドレス帳データとがリンクされているので、携帯情報端末装置に記憶されているデータの利用が更に効果的なものとなる。
【０１７７】
また、第６の携帯情報端末装置は、第５の携帯情報端末装置において、前記リンク手段が、前記アドレス帳データの特定の人物の指定を条件として該当する人物の名刺データを表示する携帯情報端末装置である。かかる構成とすることにより、アドレス帳のデータベースからいつもで名刺データを呼び出すことができる。
【０１７８】
また、第７の携帯情報端末装置は、第５の携帯情報端末装置において、前記リンク手段が、前記名刺データの特定の人物の指定を条件として該当する人物のアドレス帳データを表示する携帯情報端末装置である。かかる構成とすることにより、名刺データから特定の人物のアドレス帳データを表示することが可能になる。
【０１７９】
また、第８の携帯情報端末装置は、第２〜第７のいずれかの携帯情報端末装置において、前記スキャナーが、名刺とほぼ同じ大きさの凹部に設けられている携帯情報端末装置である。かかる構成とすることにより、名刺データをスキャナーで読み込むのに便利であり、スキャナー部と装置本体との間に受け取った名刺を挟み込んで所持したり持ち帰ることが可能となる。なお、ここで名刺とほぼ同じ大きさとは、一辺の長さがそれぞれ、９０ｍｍ及び５０ｍｍ程度である長方形であることをいう。
【０１８０】
効果として、以上説明したように、本携帯情報端末は名刺交換機能を有すると共に、スキャナーから名刺データを携帯情報端末装置に読み込むことができ、データ整理を容易にすることができる。
【０１８１】
また、従来技術として、特開２００２−１９７０３８号公報がある（特許文献１０参照。）。
【０１８２】
これは、加工処理された画像データを簡易かつ迅速に入手可能にする。
【０１８３】
互いに電子メールを送受信可能な携帯通信端末と画像処理装置を備え、携帯通信端末は、画像取込部と、送信メール作成部と、第１送信部と、第１受信部と、表示制御部とを有し、画像処理装置は、携帯通信端末から送信された電子メールを受信する第２受信部と、受信された電子メールを画像データ部分と文字データ部分とに分離するデータ分離部と、分離された画像データに対して画像加工処理を行う画像加工部と、登録ユーザ判定部と、返信メール作成部と、第２送信部と、を有する。加工処理済みの画像データを携帯通信端末に電子メールで返信するようにしたため、ユーザは送信する手間のみで加工処理された画像データを自動的に受け取ることができ、ユーザは自分で画像データを受け取りにいかなくて済む。
【０１８４】
携帯電話やＰＨＳ（Ｐｅｒｓｏｎａｌ  Ｈａｎｄｙ−ｐｈｏｎｅ  Ｓｙｓｔｅｍ）等の携帯通信端末が大変な勢いで普及しており、携帯通信端末を単なる電話機として利用するだけでなく、インターネット接続用や電子メール送受信用として利用する例が増えてきた。
【０１８５】
また、集積回路技術の進歩により、画素数の多いＣＣＤセンサが手軽に手に入るようになってきたこともあり、従来の銀塩カメラと同等もしくはそれ以上の画質性能をもったデジタルカメラが普及してきた。
【０１８６】
デジタルカメラは、撮影した画像を手軽にコンピュータ機器に取り込むことができ、また、銀塩カメラよりもはるかに小型化が容易なため、携帯通信端末に一体に取り付けた製品も数多く発表されている。
【０１８７】
さらに、最近の携帯通信端末は、数十ｋｂｐｓ程度の伝送速度でデータ通信を行えるため、携帯通信端末で画像データを送受信できるようになってきた。このため、携帯通信端末を利用して、画像データが添付された電子メール送受信したり、ウェブ上から画像データをダウンロードする等の使い方が一般的に行われている。
【０１８８】
携帯通信端末の通信料金は、加入電話回線の通信料金よりも高いため、高解像度の画像データを電子メールで送信すると、データ量が多いことから通信料が高くなってしまう。したがって、携帯通信端末で送受信される画像データは、解像度をある程度落としてデータ量を減らす必要がある。ところが、解像度を落とすと、画質が悪くなってしまう。また、携帯通信端末に取り付けられたデジタルカメラは、ＣＣＤセンサの性能が低いものが多く、撮像された画像データの画質はあまりよくない。
【０１８９】
さらに、携帯通信端末の表示装置の画面は表示面積が限られている上に、バッテリ駆動時間をできるだけ長くする必要性があるため、表示品質は優れるが、消費電力の大きいアクティブマトリクス型の液晶表示装置を用いずに、表示品質が悪い代わりに消費電力の少ないＳＴＮ型の液晶表示装置を用いることが多い。
【０１９０】
このように、種々の理由から、携帯通信端末では、画質の優れた画像を表示できないのが実情である。
【０１９１】
ところで、最近、携帯通信端末の表示装置に表示させるための画像データを提供するサービスが行われている。ところが、この種の従来のサービスは、表示すべき画像データをウェブ上の特定のサイトで提供することが多く、ユーザはインターネット等を介してこのサイトにアクセスして所望の画像データをダウンロードしなければならない。このため、画像データの取得に時間がかかる上にその手続きが面倒であるという問題があった。
【０１９２】
このような点に鑑みてなされたものであり、その目的は、加工処理された画像データを簡易かつ迅速に入手可能な画像通信システム、携帯通信端末および画像処理装置を提供することにある。
【０１９３】
上述した課題を解決するために、携帯通信端末との間で、画像データを含む電子メールの送受を行う画像処理装置を備えた画像通信システムにおいて、前記携帯通信端末は、画像データを取り込む画像取込手段と、取り込んだ画像データを含む電子メールを、前記携帯通信端末から特定の宛先に送信する第１送信手段と、前記画像処理装置から送信された電子メールを受信する第１受信手段と、受信された電子メールに含まれる画像データを表示装置に表示させる表示制御手段と、を有し、前記画像処理装置は、前記携帯通信端末から送信された電子メールを受信する第２受信手段と、受信された電子メールを画像データと文字データとに分離するデータ分離手段と、分離された画像データに対して所定の画像加工処理を行う画像加工手段と、画像加工処理を行った状態の画像データを含む電子メールを前記携帯通信端末に返信する第２送信手段と、を有する。
【０１９４】
携帯通信端末から画像処理装置に送信された画像データを画像処理装置内で加工処理した後、電子メールで携帯通信端末のメール送信者に届けるため、加工処理済みの画像データを簡易かつ迅速に受け取ることができる。
【０１９５】
効果として、以上詳細に説明したように、携帯通信端末から画像処理装置に電子メールで送信された画像データを画像処理装置内で加工し、加工済みの画像データを携帯通信端末のメール送信者に電子メールで返信するようにしたため、携帯通信端末のメール送信者は自ら加工済みの画像データを受け取りに行く手間が省け、使い勝手が向上する。また、加工処理済みの画像データが電子メールで携帯通信端末のメール送信者の手元に届くため、画像データの加工処理を依頼してから加工処理済みの画像データを受け取るまでの時間を短縮できる。
【０１９６】
また、従来技術として、特開平１０−４９６１３号公報がある（特許文献１１参照。）。
【０１９７】
これは、読み取ったバーコード情報をリアルタイムでホスト装置に転送することにより，作業性・利便性の向上を図ること。
【０１９８】
各種数値データや各種アプリケーションを記憶したメモリと，ＰＨＳ（パーソナル・ハンディーホン・システム）通信方式で，アンテナを介して情報の送受信を行うＰＨＳ通信制御部と，キー入力部で指定されたオペレーションに基づいて，該当するアプリケーションの実行制御を行う制御部とを備え，制御部が，ＰＨＳ通信制御部を介して，レーザースキャナー部で読み取ったバーコード情報および／またはアプリケーションで処理した情報を外部装置へ送信すると共に，ＰＨＳ通信制御部を介して，外部装置から情報を受信する。
【０１９９】
従来の技術によれば，自由に持ち運びが可能な携帯型のバーコード端末装置を用いることにより，作業性・利便性の向上を図ることができるものの，読み取られたバーコード情報は一旦バーコード端末装置に蓄積された後，オペレータがバーコード端末装置をインターフェース装置にセットして，バーコード端末装置からホスト装置に転送して始めてホスト装置内で利用可能となるため，バーコード情報の読み取りからホスト装置内で利用可能となるまでの間にタイムラグ（時間差）が存在するという問題点があった。
【０２００】
また，作業現場にインターフェース装置を配置することにより，ホスト装置の場所まで移動する必要はなくなるものの，この場合でも，結局，バーコード情報をホスト装置へ転送するためにはインターフェース装置の場所まで移動する必要があるという不便さが残っていた。
【０２０１】
また，従来の技術によれば，ネットワークを介してホスト装置と複数のインターフェース装置とを接続することにより，作業現場のインターフェース装置からホスト装置へバーコード情報を簡単に転送することができるものの，ネットワークの付設や，複数のインターフェース装置が必要であるため，システムの構築にコストがかかるという問題点や，システムの導入・追加・変更を行う場合に配線工事が必要であという問題点や，各作業現場にインターフェース装置を設置するためのスペースが必要であるという問題点があった。
【０２０２】
さらに，従来のバーコード端末装置およびバーコード端末装置を用いた商品管理システムにおいては，基本的に，バーコード端末装置をバーコード情報を入力するための装置として位置づけているため，単純にバーコード端末装置からホスト装置へ情報を転送することのみに使用されていた。したがって，当然のことながら，商品管理の作業において発生する商品確認や，担当者間の連絡等は，他の手段（内線電話や，無線電話等）を用いて行っており，バーコード端末装置を用いた商品管理システムのみで，商品管理の作業を十分に行うことはできないという欠点があった。
【０２０３】
上記に鑑みてなされたものであって，読み取ったバーコード情報をリアルタイムでホスト装置に転送することにより，作業性・利便性の向上を図ることを目的とする。
【０２０４】
また，上記に鑑みてなされたものであって，低コストで，システムの導入・追加・変更に配線工事を必要とせず，かつ，作業現場にシステムのための特別なスペースを必要としない商品管理システムを提供することを目的とする。
【０２０５】
また，上記に鑑みてなされたものであって，バーコード端末装置に電話機能を付加することにより，バーコード端末装置を用いた商品管理システムのみで商品管理に必要な作業を十分にサポートできるようにすることを目的とする。
【０２０６】
上記の目的を達成するために，第１のバーコード端末装置は，商品またはカード等に記載または貼付されているバーコード情報を読み取るバーコード情報読取手段と，各種オペレーションの指定および数値入力を行うための操作手段と，各種情報の表示を行うための表示手段と，各種アプリケーションを記憶した記憶手段と，前記操作手段で指定されたオペレーションに基づいて，該当するアプリケーションの実行制御を行う制御手段とを備え，自由に持ち運びが可能な携帯型のバーコード端末装置において，ＰＨＳ（パーソナル・ハンディーホン・システム）通信方式で，情報の送受信を行うＰＨＳ通信手段を備え，前記制御手段が，前記ＰＨＳ通信手段を介して，前記バーコード情報読取手段で読み取ったバーコード情報および／または前記アプリケーションで処理した情報を外部装置へ送信すると共に，前記ＰＨＳ通信手段を介して，外部装置から情報を受信するものである。
【０２０７】
また，第２のバーコード端末装置は，第１のバーコード端末装置において，さらに，音声情報を入力する音声情報入力手段と，音声情報を出力する音声情報出力手段とを備え，前記記憶手段が，前記アプリケーションの一つとしてＰＨＳ通信方式の電話機能を提供するためのＰＨＳアプリケーションを記憶しており，前記制御手段が，前記操作手段を介して前記ＰＨＳアプリケーションの実行が指定された場合に，前記ＰＨＳアプリケーションに基づいて，前記音声情報入力手段，前記音声情報出力手段，前記ＰＨＳ通信手段，前記操作手段および前記表示手段を制御して，ＰＨＳ通信方式の電話機能を提供するものである。
【０２０８】
また，第３のバーコード端末装置を用いた商品管理システムは，商品またはカード等に記載または貼付されているバーコード情報を，自由に持ち運びが可能な携帯型のバーコード端末装置を用いて所望の場所で読み取って蓄積し，前記バーコード端末装置に蓄積したバーコード情報を，所定のインターフェース装置を介して，ホスト装置に取り込んで商品管理を行うバーコード端末装置を用いた商品管理システムにおいて，前記バーコード端末装置が，第１または第２のバーコード端末装置からなり，前記インターフェース装置が，ＰＨＳ（パーソナル・ハンディーホン・システム）通信方式の無線中継装置からなり，前記バーコード端末装置で読み取ったバーコード情報を，前記無線中継装置を介して前記ホスト装置にリアルタイムで伝送・入力するものである。
【０２０９】
また，第４のバーコード端末装置を用いた商品管理システムは，商品またはカード等に記載または貼付されているバーコード情報を，自由に持ち運びが可能な携帯型のバーコード端末装置を用いて所望の場所で読み取って蓄積し，前記バーコード端末装置に蓄積したバーコード情報を，所定のインターフェース装置を介して，ホスト装置に取り込んで商品管理を行うバーコード端末装置を用いた商品管理システムにおいて，前記バーコード端末装置が，第２のバーコード端末装置からなり，前記インターフェース装置が，ＰＨＳ（パーソナル・ハンディーホン・システム）通信方式の無線中継装置からなり，前記ホスト装置が，電話機能を有しており，前記バーコード端末装置で読み取ったバーコード情報を，前記無線中継装置を介して前記ホスト装置にリアルタイムで伝送・入力すると共に，前記バーコード端末装置と前記ホスト装置との間で通話によって情報伝達を行うものである。
【０２１０】
また，第５のバーコード端末装置を用いた商品管理システムは，第３または第４のバーコード端末装置を用いた商品管理システムにおいて，前記ホスト装置から複数の前記バーコード端末装置に対して，一斉呼出しおよび／または同報通信が行えるものである。
【０２１１】
効果として、以上説明したように，第１のバーコード端末装置は，商品またはカード等に記載または貼付されているバーコード情報を読み取るバーコード情報読取手段と，各種オペレーションの指定および数値入力を行うための操作手段と，各種情報の表示を行うための表示手段と，各種アプリケーションを記憶した記憶手段と，操作手段で指定されたオペレーションに基づいて，該当するアプリケーションの実行制御を行う制御手段とを備え，自由に持ち運びが可能な携帯型のバーコード端末装置において，ＰＨＳ（パーソナル・ハンディーホン・システム）通信方式で，情報の送受信を行うＰＨＳ通信手段を備え，制御手段が，ＰＨＳ通信手段を介して，バーコード情報読取手段で読み取ったバーコード情報および／またはアプリケーションで処理した情報を外部装置へ送信すると共に，ＰＨＳ通信手段を介して，外部装置から情報を受信するため，読み取ったバーコード情報をリアルタイムで外部装置（ホスト装置）に転送して，作業性・利便性の向上を図るができる。また，必要に応じて外部装置からバーコード端末装置へ情報を送信することができる。
【０２１２】
また，第２のバーコード端末装置は，第１のバーコード端末装置において，さらに，音声情報を入力する音声情報入力手段と，音声情報を出力する音声情報出力手段とを備え，記憶手段が，アプリケーションの一つとしてＰＨＳ通信方式の電話機能を提供するためのＰＨＳアプリケーションを記憶しており，制御手段が，操作手段を介してＰＨＳアプリケーションの実行が指定された場合に，ＰＨＳアプリケーションに基づいて，音声情報入力手段，音声情報出力手段，ＰＨＳ通信手段，操作手段および表示手段を制御して，ＰＨＳ通信方式の電話機能を提供するため，作業性・利便性の向上を図ることができる。換言すれば，バーコード端末装置を用いた商品管理システムのみで商品管理の作業を十分に行うことができる。
【０２１３】
また，第３のバーコード端末装置を用いた商品管理システムは，商品またはカード等に記載または貼付されているバーコード情報を，自由に持ち運びが可能な携帯型のバーコード端末装置を用いて所望の場所で読み取って蓄積し，バーコード端末装置に蓄積したバーコード情報を，所定のインターフェース装置を介して，ホスト装置に取り込んで商品管理を行うバーコード端末装置を用いた商品管理システムにおいて，バーコード端末装置が，第１または第２のバーコード端末装置からなり，インターフェース装置が，ＰＨＳ（パーソナル・ハンディーホン・システム）通信方式の無線中継装置からなり，バーコード端末装置で読み取ったバーコード情報を，無線中継装置を介してホスト装置にリアルタイムで伝送・入力するため，読み取ったバーコード情報をリアルタイムでホスト装置に転送して，作業性・利便性の向上を図るができる。
【０２１４】
また，第４のバーコード端末装置を用いた商品管理システムは，商品またはカード等に記載または貼付されているバーコード情報を，自由に持ち運びが可能な携帯型のバーコード端末装置を用いて所望の場所で読み取って蓄積し，バーコード端末装置に蓄積したバーコード情報を，所定のインターフェース装置を介して，ホスト装置に取り込んで商品管理を行うバーコード端末装置を用いた商品管理システムにおいて，バーコード端末装置が，第２のバーコード端末装置からなり，インターフェース装置が，ＰＨＳ（パーソナル・ハンディーホン・システム）通信方式の無線中継装置からなり，ホスト装置が，電話機能を有しており，バーコード端末装置で読み取ったバーコード情報を，無線中継装置を介してホスト装置にリアルタイムで伝送・入力すると共に，バーコード端末装置とホスト装置との間で通話によって情報伝達を行うため，読み取ったバーコード情報をリアルタイムでホスト装置に転送して，作業性・利便性の向上を図るができると共に，バーコード端末装置を用いた商品管理システムのみで商品管理の作業を十分に行うことができる。
【０２１５】
また，第５のバーコード端末装置を用いた商品管理システムは，第３または第４のバーコード端末装置を用いた商品管理システムにおいて，ホスト装置から複数のバーコード端末装置に対して，一斉呼出しおよび／または同報通信を行えるため，緊急の情報伝達や，緊急の会議等を行うことができ，利便性の向上を図ることができる。
【０２１６】
また、従来技術として、特開平１０−５６６７４号公報がある（特許文献１２参照。）。
【０２１７】
これは、高速、高品質且つ簡便に情報の授受が可能な無線によるディジタル情報伝送システムを提供する。
【０２１８】
赤外線ポートを備えるパソコンと、スペクトラム拡散通信方式によるディジタル無線送受信機能を有する多機能周辺装置との間の無線によるディジタル情報の授受を、赤外線ポートとスペクトラム拡散通信方式によるディジタル無線送受信機能を有するディジタル携帯型電話機により中継する。これによって、相互のディジタル的な情報の授受を高速、高品質且つ簡便に行える。
【０２１９】
従来の無線ＬＡＮシステムにおいては、ＬＡＮの種類に応じて専用のＬＡＮカード等の接続機器を必要とする他、送受信のためのＲＦ（Ｒａｄｉｏ  Ｆｒｅｑｕｅｎｃｙ  ）モジュールを備えなければならないので、非常に高価であるという問題点があった。
【０２２０】
一方、赤外線通信方式によるディジタル的な情報の授受においては、高速且つ高品質に情報を伝送できるものの、赤外線送受信部の出力（赤外線発光部の出力及び赤外線受光部の感度等）が低いため（例えば、赤外線発光部の出力については、現在の標準では４０ｍＷ／ｓｒ  〜５００ｍＷ／ｓｒ  （ｍＷ／ｓｒ  は、１ｓｒ（ステラジアン；立体角）当たりの放射赤外線のエネルギー）程度である。）、無線接続できる情報処理機器間の距離を長くすることができず（実際には、最大でも数メートルである。）、これを解決するために赤外線送受信部の出力を増加させるとしても限界があるという問題点があった。
【０２２１】
そこで、上記の問題点に鑑みて成されたもので、その課題は、上記二つの通信方式を組合わせることを可能とし、高速、高品質且つ簡便に情報の授受が可能な無線によるディジタル情報伝送システムを提供することにある。
【０２２２】
上記の課題を解決するために、第１のディジタル情報伝送システムは、中継装置との間で赤外線を除く無線電波によりディジタル的に情報の授受を行う無線処理部等の第１無線送受信手段を備えた第１情報処理装置と、前記第１情報処理装置との間で前記無線電波によりディジタル的に情報の授受を行うＲＦ送受信部等の中継無線送受信手段と、第２情報処理装置との間で赤外線によりディジタル的に前記情報の授受を行う赤外線ポート等の中継赤外線送受信手段と、を備えた前記中継装置と、前記中継装置との間で前記赤外線によりディジタル的に前記情報の授受を行う赤外線ポート等の第２赤外線送受信手段を備えた前記第２情報処理装置と、を備える。
【０２２３】
作用としてば、第１情報処理装置における第１無線送受信手段は、中継装置との間で赤外線を除く無線電波によりディジタル的に情報の授受を行う。
【０２２４】
このとき、中継装置における中継無線送受信手段は、第１情報処理装置との間で上記無線電波によりディジタル的に情報の授受を行う。一方、中継装置における中継赤外線送受信手段は、第２情報処理装置との間で赤外線によりディジタル的に情報の授受を行う。
【０２２５】
そして、第２情報処理装置における第２赤外線送受信手段は、中継装置との間で赤外線によりディジタル的に情報の授受を行う。よって、第１情報処理装置と中継装置との間では上記無線電波により情報をディジタル的に送受信し、中継装置と第２情報処理装置との間では赤外線により情報をディジタル的に送受信するのでことができるので、異なる通信手段を備えた第１及び第２情報処理装置の間で、高速且つ高品質にディジタル情報の伝送ができる。
【０２２６】
更に、第１情報処理装置と第２情報処理装置とを無線接続する際に、中継装置を介するので、当該第１情報処理装置又は第２情報処理装置の夫々に、例えば無線ＬＡＮにおけるＬＡＮカードのような複雑な構成を追加することなく相互に無線接続することができる。
【０２２７】
上記の課題を解決するために、第２のディジタル情報伝送システムは、第１のディジタル情報伝送システムにおいて、前記中継装置は、携帯型ディジタル電話機であるように構成される。
【０２２８】
第２のディジタル情報伝送システムの作用によれば、第１のディジタル情報伝送システムの作用に加えて、中継装置が携帯型ディジタル電話機であるので、第１情報処理装置、中継装置及び第２情報処理装置を全てディジタル的に簡便に接続することができる。
【０２２９】
また、外部と通話する電話機としての機能と中継装置としての機能との兼用が可能となる。上記の課題を解決するために、第３のディジタル情報伝送システムは、第２のディジタル情報伝送システムにおいて、前記第１情報処理装置は、外部と電話回線等の回線を介して接続されると共に、前記携帯型ディジタル電話機は、当該第１情報処理装置を介して前記外部と通話するＣＰＵ等の通話手段を備える。
【０２３０】
第３のディジタル情報伝送システムの作用によれば、第２のディジタル情報伝送システムの作用に加えて、第１情報処理装置は、外部と回線を介して接続されると共に、携帯型ディジタル電話機における通話手段は、当該第１情報処理装置を介して前記外部と通話する。
【０２３１】
よって、第１情報処理装置を親機とし、携帯型ディジタル電話機を子機とした外部との通話が可能となる。上記の課題を解決するために、第４のディジタル情報伝送システムは、第１から第３のいずれかのディジタル情報伝送システムにおいて、前記第１情報処理装置は、外部と電話回線等の回線を介して接続され、受信した前記情報を当該回線を介して外部に出力するＮＣＵ等の通信手段を更に備える。
【０２３２】
第４のディジタル情報伝送システムの作用によれば、第１から第３のいずれかのディジタル情報伝送システムの作用に加えて、第１情報処理装置における通信手段は、外部と回線を介して接続され、受信した情報を回線を介して外部に出力する。
【０２３３】
よって、第２情報処理装置からの情報をディジタル的に高速且つ高品質に伝送して外部に送出することができる。上記の課題を解決するために、第５のディジタル情報伝送システムは、第４のディジタル情報伝送システムにおいて、前記通信手段はファクシミリ手段であり、ファクシミリ情報である受信した前記情報を前記回線を介して外部に出力すると共に、外部から送信されてきたファクシミリ情報を前記中継装置に送信するように構成される。
【０２３４】
第５のディジタル情報伝送システムの作用によれば、第４のディジタル情報伝送システムの作用に加えて、通信手段はファクシミリ手段であり、ファクシミリ情報である上記受信した情報を回線を介して外部に出力すると共に、外部から送信されてきたファクシミリ情報を中継装置に送信する。
【０２３５】
よって、外部との間で、ファクシミリ情報の授受が可能となる。上記の課題を解決するために、第６のディジタル情報伝送システムは、第１から第５のいずれかのディジタル情報伝送システムにおいて、前記第１情報処理装置は情報を記録するプリンタ部等のプリンタ手段を更に備えると共に、前記第２情報処理装置はコンピュータ装置であり、当該コンピュータ装置において処理された情報が前記中継装置を介して前記プリンタ手段に伝送され、当該プリンタ手段において記録出力されるように構成される。
【０２３６】
第６のディジタル情報伝送システムの作用によれば、第１から第５のいずれかのディジタル情報伝送システムの作用に加えて、第１情報処理装置はプリンタ手段を備えると共に、第２情報処理装置はコンピュータ装置であり、当該コンピュータ装置において処理された情報が中継装置を介してプリンタ手段に伝送され、当該プリンタ手段において記録出力される。
【０２３７】
よって、コンピュータ装置において処理された情報を高速且つ高品質に伝送して記録出力することができる。上記の課題を解決するために、第７のディジタル情報伝送システムは、第４のディジタル情報伝送システムにおいて、前記第２情報処理装置はコンピュータ装置であり、処理した情報を前記中継装置を介して前記第１情報処理装置に送出し、前記通信手段を介して外部に送出するように構成される。
【０２３８】
第７のディジタル情報伝送システムの作用によれば、第４のディジタル情報伝送システムの作用に加えて、第２情報処理装置はコンピュータ装置であり、処理した情報を中継装置を介して第１情報処理装置に送出し、通信手段を介して外部に送出するので、コンピュータ装置により処理した情報を外部に送出するいわゆるファクシミリ装置としての機能を実現できる。
【０２３９】
上記の課題を解決するために、第８のディジタル情報伝送システムは、第１から第７のいずれかのディジタル情報伝送システムにおいて、前記第１情報処理装置は、情報を読み取るスキャナ部等のスキャナ手段を更に備えると共に、当該読み取った情報を前記中継装置を介して前記第２情報処理装置に送信するように構成される。
【０２４０】
第８のディジタル情報伝送システムの作用によれば、第１から第７のいずれかのディジタル情報伝送システムの作用に加えて、第１情報処理装置はスキャナ手段を備えると共に、読み取った情報を中継装置を介して第２情報処理装置に送信するので、第２情報処理装置において、当該読み取った情報を処理することができる。
【０２４１】
上記の課題を解決するために、第９のディジタル情報伝送システムは、第１又は第２のディジタル情報伝送システムにおいて、前記第１情報処理装置は、外部と電話回線等の回線を介して接続されると共に、当該第１情報処理装置は、ファクシミリ情報である受信した前記情報を前記回線を介して外部に出力すると共に、外部から送信されてきたファクシミリ情報を前記中継装置に送信するＮＣＵ等のファクシリミリ手段と、情報を読み取って前記中継装置を介して前記第２情報処理装置に送信するスキャナ部等のスキャナ手段と、前記第２情報処理装置から前記中継装置を介して送信されてくる前記情報を記録するプリンタ部等のプリンタ手段と、を更に備える。
【０２４２】
第９のディジタル情報伝送システムの作用によれば、第１又は第２のディジタル情報伝送システムの作用に加えて、第１情報処理装置は外部と回線を介して接続されると共に、当該第１情報処理装置におけるファクシミリ手段は、ファクシミリ情報を回線を介して外部に出力すると共に、外部から送信されてきたファクシミリ情報を中継装置に送信する。
【０２４３】
一方、第１情報処理装置におけるスキャナ手段は、情報を読み取って中継装置を介して第２情報処理装置に送信する。更に、第１情報処理装置におけるプリンタ手段は、第２情報処理装置から中継装置を介して送信されてくる情報を記録する。
【０２４４】
よって、ディジタル情報伝送システムにおいて、外部との情報の授受が行えると共に、情報の読み取りが行え、更に情報の記録も行うことができる。上記の課題を解決するために、第１０のディジタル情報伝送システムは、第１から第９のいずれかのディジタル情報伝送システムにおいて、前記第１情報処理装置と前記中継装置とは、スペクトラム拡散通信方式により無線接続されるように構成される。
【０２４５】
第１０のディジタル情報伝送システムの作用によれば、第１から第９のいずれかのディジタル情報伝送システムの作用に加えて、第１情報処理装置と中継装置とは、スペクトラム拡散通信方式により無線接続されているので、電力密度及び外部からの干渉による影響を低減しつつ情報の授受ができる。
【０２４６】
よって、高品質の情報伝送が可能となる。
【０２４７】
効果として、以上説明したように、第１のディジタル情報伝送システムによれば、第１情報処理装置と中継装置との間では上記無線電波により情報をディジタル的に送受信し、中継装置と第２情報処理装置との間では赤外線により情報をディジタル的に送受信することができるので、異なる通信手段をもった第１及び第２の情報処理装置の間で高速且つ高品質に情報の伝送ができる。
【０２４８】
更に、第１情報処理装置と第２情報処理装置とを無線接続する際に、中継装置を介するので、当該第１情報処理装置又は第２情報処理装置の夫々に、例えば、無線ＬＡＮにおけるＬＡＮカードのような複雑な構成を追加することなく相互に無線接続することができる。
【０２４９】
第２のディジタル情報伝送システムによれば、第１のディジタル情報伝送システムの効果に加えて、中継装置が携帯型ディジタル電話機であるので、第１情報処理装置、中継装置及び第２情報処理装置を全てディジタル的且つ簡便に接続することができる。
【０２５０】
従って、情報の高速、高品質且つ簡便な伝送が可能となる。また、外部と通話する電話機としての機能と中継装置としての機能との兼用が可能となる。
【０２５１】
第３のディジタル情報伝送システムによれば、第２のディジタル情報伝送システムの効果に加えて、第１情報処理装置が外部と回線を介して接続されると共に、携帯型ディジタル電話機が当該第１情報処理装置を介して外部と通話する通話手段を備えるので、第１情報処理装置を親機とし、携帯型ディジタル電話機を子機とした外部との通話が可能となる。
【０２５２】
第４のディジタル情報伝送システムによれば、第１から第３のいずれかのディジタル情報伝送システムの発明の効果に加えて、第１情報処理装置における通信手段は、外部と回線を介して接続され、受信した情報を回線を介して外部に出力するので、第２情報処理装置からの情報をディジタル的に高速且つ高品質に伝送して外部に送出することができる。
【０２５３】
第５のディジタル情報伝送システムによれば、第４のディジタル情報伝送システムの効果に加えて、通信手段はファクシミリ手段であり、ファクシミリ情報である上記受信した情報を回線を介して外部に出力すると共に、外部から送信されてきたファクシミリ情報を中継装置に送信するので、外部との間でファクシミリ情報の授受が可能となる。
【０２５４】
従って、ディジタル情報伝送システムの利便性を向上させることができる。第６のディジタル情報伝送システムによれば、第１から第５のいずれかのディジタル情報伝送システムの発明の効果に加えて、第１情報処理装置はプリンタ手段を備えると共に、第２情報処理装置はコンピュータ装置であり、当該コンピュータ装置において処理された情報が中継装置を介してプリンタ手段に伝送され、当該プリンタ手段において記録出力されるので、コンピュータ装置において処理された情報を高速且つ高品質に伝送して記録出力することができる。
【０２５５】
第７のディジタル情報伝送システムによれば、第４のディジタル情報伝送システムの効果に加えて、第２情報処理装置はコンピュータ装置であり、処理した情報を中継装置を介して第１情報処理装置に送出し、通信手段を介して外部に送出するので、コンピュータ装置により処理した情報を外部に送出するいわゆるファクシミリ装置としての機能を実現できる。
【０２５６】
第８のディジタル情報伝送システムによれば、第１から第７のいずれかのディジタル情報伝送システムの効果に加えて、第１情報処理装置はスキャナ手段を備えると共に、読み取った情報を中継装置を介して第２情報処理装置に送信するので、第２情報処理装置において、当該読み取った情報を処理することができる。
【０２５７】
従って、ディジタル情報伝達システムの利便性を向上させることができる。第９のディジタル情報伝送システムによれば、第１又は第２のディジタル情報伝送システムの効果に加えて、第１情報処理装置におけるファクシミリ手段により外部とのファクシミリ情報の授受を行い、スキャナ手段により情報を読み取って中継装置を介して第２情報処理装置に送信し、更にプリンタ手段により第２情報処理装置から中継装置を介して送信されてくる情報を記録するので、ディジタル情報伝送システムにおいて、外部との情報の授受が行えると共に、情報の読み取りが行え、更に情報の記録も行うことができる。
【０２５８】
従って、ディジタル情報伝送システムの利便性を向上させることができる。第１０のディジタル情報伝送システムによれば、第１から第９のいずれかのディジタル情報伝送システムの効果に加えて、第１情報処理装置と中継装置とは、スペクトラム拡散通信方式により無線接続されているので、電力密度及び外部からの干渉等による影響を低減しつつ情報の授受ができる。
【０２５９】
従って、第１無線送受信手段及び中継無線送受信手段によって、高品質の伝送を行うことができる。
【０２６０】
また、従来技術として、特開平１１−２０５５１５号公報がある（特許文献１３参照。）。
【０２６１】
これは、ターミナル局とホスト局とでデータを送受信し管理する通信システムにおいて、データをリアルタイムで管理でき、かつ使い勝手のよい通信システム及びその制御方法、コンピュータ可読メモリを提供する。
【０２６２】
ターミナル局は、イメージスキャナより原稿を画像データとして読み取る。そして、読み取られた画像データをＰＨＳ／携帯電話を用いて第１データフォーマットでホスト局へ送信、あるいは該ホスト局から送信されてくる画像データを受信する。一方、ホスト局は、ターミナル局から送信されてくる画像データを受信、あるいは該ターミナル局へ画像データを送信する。そして、ターミナル局から送信されてくる画像データを文字認識し、その文字認識結果を第２データフォーマットで管理する。
【０２６３】
従来、荷物を運搬配達する業務において、荷物に関する情報をホスト局において掌握管理し、いつでもその情報を把握することのできるようにした荷物宅配システムのような通信システムでは、次のような処理が行われる。例えば、顧客が記入した伝票をキー入力などの方法で、ハンディターミナル局等のターミナル局に入力し、荷物の収集巡回が終了した時点で、ターミナル局をホスト局に接続し、情報をセンター局に入力蓄積していた。
【０２６４】
しかしながら、上記従来の通信システムにおいては、ホスト局への情報入力が、一連の巡回作業が終わらなければできないので、情報をリアルタイムで把握することができなかった。そのため、荷物が収集されてから、ホスト局への情報入力がなされるまでの間、荷物の問い合わせに応ずることができないという問題があった。
【０２６５】
また、荷物が配達し終わる間も荷物の所在などの情報は、ホスト局に問い合わせたあと、ホスト局に記憶されている荷物の伝票番号をキーにして、運搬している輸送車を携帯電話等の通信手段で呼び出して聞く必要があった。
【０２６６】
上記の問題点に鑑みてなされたものであり、ターミナル局とホスト局とでデータを送受信し管理する通信システムにおいて、データをリアルタイムで管理でき、かつ使い勝手のよい通信システム及びその制御方法、コンピュータ可読メモリを提供することを目的とする。
【０２６７】
上記の目的を達成するための本発明による通信システムは以下の構成を備える。即ち、ターミナル局とホスト局とでデータを送受信し管理する通信システムであって、前記ターミナル局は、原稿を画像データとして読み取る読取手段と、前記読取手段で読み取られた画像データを第１データフォーマットで前記ホスト局へ送信、あるいは該ホスト局から送信されてくる画像データを受信する第１通信手段とを備え、前記ホスト局は、前記ターミナル局から送信されてくる画像データを受信、あるいは該ターミナル局へ画像データを送信する第２通信手段と、前記ターミナル局から送信されてくる画像データを文字認識する文字認識手段と、前記文字認識手段による文字認識結果を第２データフォーマットで管理する管理手段とを備える。
【０２６８】
また、好ましくは、前記読取手段は、前記画像データを圧縮する圧縮手段を備え、前記第１通信手段は、前記圧縮手段で圧縮された画像データを前記ホスト局へ送信する。
【０２６９】
また、好ましくは、前記文字認識手段は、前記圧縮手段で圧縮された画像データを復号する復号手段を備え、前記復号手段で復号された画像データに対し文字認識を実行する。
【０２７０】
また、好ましくは、前記ターミナル局は、所望のデータを入力する入力手段を更に備え、前記入力手段によって入力されたデータを前記第２通信手段が受信した場合、前記管理手段は、該データの内容に基づいて、該データを管理する。
【０２７１】
また、好ましくは、前記第１データフォーマットは、少なくとも前記読取手段で読み取られた画像データの種類、文字数、データサイズ、該画像データのイメージデータを含む。
【０２７２】
また、好ましくは、前記第２データフォーマットは、少なくとも前記文字認識手段で認識された文字の文字数、データサイズ、該文字に対応する文字コードを含む。
【０２７３】
上記の目的を達成するための通信システムの制御方法は以下の構成を備える。即ち、ターミナル局とホスト局とでデータを送受信し管理する通信システムの制御方法であって、前記ターミナル局は、原稿を画像データとして読み取る読取工程と、前記読取工程で読み取られた画像データを第１データフォーマットで前記ホスト局へ送信、あるいは該ホスト局から送信されてくる画像データを受信する第１通信工程とを備え、前記ホスト局は、前記ターミナル局から送信されてくる画像データを受信、あるいは該ターミナル局へ画像データを送信する第２通信工程と、前記ターミナル局から送信されてくる画像データを文字認識する文字認識工程と、前記文字認識工程による文字認識結果を第２データフォーマットで記憶媒体に管理する管理工程とを備える。
【０２７４】
上記の目的を達成するためのコンピュータ可読メモリは以下の構成を備える。即ち、ターミナル局とホスト局とでデータを送受信し管理する通信システムの制御のプログラムコードが格納されたコンピュータ可読メモリであって、原稿を画像データとして読み取る読取工程のプログラムコードと、前記読取工程で読み取られた画像データを第１データフォーマットで前記ホスト局へ送信、あるいは該ホスト局から送信されてくる画像データを受信する第１通信工程のプログラムコードと、前記ターミナル局から送信されてくる画像データを受信、あるいは該ターミナル局へ画像データを送信する第２通信工程のプログラムコードと、前記ターミナル局から送信されてくる画像データを文字認識する文字認識工程のプログラムコードと、前記文字認識工程による文字認識結果を第２データフォーマットで記憶媒体に管理する管理工程のプログラムコードとを備える。
【０２７５】
効果として、以上説明したように、ターミナル局とホスト局とでデータを送受信し管理する通信システムにおいて、データをリアルタイムで管理でき、かつ使い勝手のよい通信システム及びその制御方法、コンピュータ可読メモリを提供できる。
【０２７６】
また、従来技術として、特開平１１−２１５２９３号公報がある（特許文献１４参照。）。
【０２７７】
これは、コードレスハンドスキャナの操作性を向上させ、ファクシミリ通信システムの構成を簡略化するとともに、装置コストを安くする。
【０２７８】
原稿を読み取るスキャナ機能および通話を行う電話機能を備え、モード識別部によりスキャナ機能を選択中には、機能切替部で電話機能を一時停止させることにより、読取制御部で読み取った二値化データを制御部から送受信部，アンテナを介しリアルタイムにファクシミリ装置本体に転送する。また、コードレス電話機とコードレスハンドスキャナとを一体化することにより、これらコードレス電話機とコードレスハンドスキャナの電源部を共通化する。
【０２７９】
従来のファクシミリ装置本体と物理的に分離しているディジタルコードレス電話およびコードレスハンドスキャナが別筐体で構成されるファクシミリ通信システムでは、第１の問題点としては、ディジタルコードレス電話およびコードレスハンドスキャナで使用する充電手段を含めた電力供給手段がコスト高となることである。
【０２８０】
その理由は、ファクシミリ装置本体とディジタルコードレス電話およびコードレスハンドスキャナが物理的に分離しているので、駆動電源は各々独立しており、充電回路、電池等の電力供給手段をディジタルコードレス電話およびコードレスハンドスキャナそれぞれに持たなければならないためである。
【０２８１】
また、第２の問題点としては、コードレスハンドスキャナで読み取ったデータをリアルタイムでファクシミリ装置本体に転送することができないことである。
【０２８２】
その理由は、コードレス電話機とコードレスハンドスキャナが各々独立して動作することが可能であるため、コードレスハンドスキャナで原稿を読み取った時点で、コードレス電話子機とコードレス電話親機であるファクシミリ装置本体が通信している場合、コードレスハンドスキャナが読み取った読取データをファクシミリ装置本体に転送できない。したがって、読み取った読取データを一時的に読取データ蓄積手段に蓄積し、コードレス電話子機とコードレス電話親機であるファクシミリ装置本体との通信が終了するまでデータの転送を待つ必要があるためである。
【０２８３】
目的は、ファクシミリ装置本体と物理的に分離しているディジタルコードレス電話およびコードレスハンドスキャナを駆動する電力供給部を共通化することにより、ファクシミリ通信システムの構成を簡略化するとともに、装置コストを安くすることが可能なコードレスハンドスキャナとファクシミリ通信システムを提供することにある。
【０２８４】
他の目的は、電話機能を一時停止させ、コードレスハンドスキャナで読み取ったデータをリアルタイムにファクシミリ装置本体に転送することにより、操作性を向上することが可能なコードレスハンドスキャナとファクシミリ通信システムおよびそのデータ転送方法を提供することにある。
【０２８５】
コードレスハンドスキャナは、原稿を読み取るスキャナ機能および通話を行う電話機能を備え、スキャナ機能を選択中には、電話機能を一時停止させることにより、読み取った二値化データをリアルタイムにファクシミリ装置本体に転送する。
【０２８６】
コードレスハンドスキャナは、コードレス電話機とコードレスハンドスキャナとを一体化することにより、これらコードレス電話機とコードレスハンドスキャナの各部に電力を供給する電源部を共通化する。
【０２８７】
コードレスハンドスキャナは、原稿の読取面に光を照射する発光手段と、前記発光手段から前記読取面に照射された光の反射光の強弱を電気信号に変換する光電変換手段と、前記光電変換手段によって変換した電気信号を記録紙に印字またはファクシミリ送信が可能となる白黒の二値化データに変換する読取制御手段と、音声をディジタル音声データに変換する送話手段と、ディジタル音声データを音声に変換する受話手段と、前記送話手段によって生成されるディジタル音声データを無線信号に変換あるいは空中より受信した無線信号をディジタル音声データに変換する送受信手段と、無線信号を空中へ送信あるいは無線信号を空中から受信するアンテナと、動作モードの選択操作および番号情報を入力するための入力手段と、前記入力手段の指示に基づき動作モードを決定しこの決定した動作モードに従って前記各部を制御する制御手段と、前記各手段に電力を供給する電力供給部とを備え、前記制御手段は、前記入力手段から入力されたモード識別信号を受け動作モードを識別するモード識別部と、識別されたモードに従ってスキャナ機能および電話機能のいずれか一方に切り替える機能切替部とを備える。
【０２８８】
ファクシミリ通信システムにおけるデータ転送方法は、スキャナ機能および電話機能を有するコードレスハンドスキャナで、スキャナ機能が選択され且つコピー動作であることを識別したときには、電話機能を一時停止させ、読み取った二値化データをファクシミリ装置本体に転送し、この本体で原稿をリアルタイムにコピーする。
【０２８９】
ファクシミリ通信システムにおけるデータ転送方法は、スキャナ機能および電話機能を有するコードレスハンドスキャナで、スキャナ機能が選択され且つファクシミリ送信動作であることを識別したときには、電話機能を一時停止させ、読み取った二値化データをファクシミリ装置本体に転送し、この本体で原稿をリアルタイムにファクシミリ送信する。
【０２９０】
なお、ファクシミリ通信システムにおけるデータ転送方法は、原稿の読取開始指示を音声によりコードレスハンドスキャナに出力する。
【０２９１】
これによれば、電話機能を一時停止させ、発光手段と光電変換手段と読取制御手段とで構成されるハンドスキャナ部で原稿を読み取ると、このハンドスキャナ部で生成される二値化データを送受信手段とアンテナとで構成されるディジタルコードレス電話子機部の無線信号送信手段を利用して、ファクシミリ装置本体のディジタルコードレス電話親機の無線信号受信手段へ送信することにより、ファクシミリ装置本体に直ちに読取データを転送することができる。
【０２９２】
すなわち、ハンドスキャナ部とコードレス電話子機部が同一筐体内に構成されている本発明のコードレスハンドスキャナは、ハンドスキャナ部による読取動作とディジタルコードレス電話子機部による電話動作を同時に動作できない作用を持たせている。従って、ハンドスキャナ部として動作する場合は、コードレス電話子機部は電話動作をしていないため、ハンドスキャナ部で読み取ったデータを必ず直ちにファクシミリ装置本体に転送することができる。
【０２９３】
効果として、以上説明したように、従来別々であったディジタルコードレス電話およびコードレスハンドスキャナを同一筐体で構成するので、従来の構成で重複するディジタルコードレス電話およびコードレスハンドスキャナの各部に電力を供給する電力供給手段等の構成要素を必要最小限にできるため、構成要素は削減され、コストも下げることができる。
【０２９４】
また、ハンドスキャナ部とコードレス電話子機部を同一筐体に構成し且つハンドスキャナ部とコードレス電話子機部を同時に動作ができないようにしているので、ハンドスキャナ部で読み取ったデータをファクシミリ装置本体にリアルタイムに転送することができる。
【０２９５】
【特許文献１】
特開２０００−１０８９３号公報（段落［０００７］〜［０００９］，および［００４８］〜［００５０］）
【特許文献２】
特開２０００−１６５５７０号公報（段落［０００７］〜［００２７］，および［００９２］〜［００９３］）
【特許文献３】
特開２０００−３３２９４３号公報（段落［０００３］〜［００１１］，および［００３９］〜［００４６］）
【特許文献４】
特開２００１−１２５６６９号公報（段落［０００３］，［０００４］，および［００３４］）
【特許文献５】
特開２００１−２０３８３７号公報（段落［０００８］〜［００１１］，および［００５８］〜［００６５］）
【特許文献６】
特開２００１−２３８０３７号公報（段落［０００４］〜［００２６］）
【特許文献７】
特開２００２−７２４６号公報（段落［０００２］〜［０００６］，および［００１６］）
【特許文献８】
特開平２００２−２７５４４号公報（段落［０００３］〜［００２３］，［００６３］，および［００６４］）
【特許文献９】
特開２００２−１３２７３８号公報（段落［０００３］〜［００１４］，および［００３０］）
【特許文献１０】
特開２００２−１９７０３８号公報（段落［０００２］〜［００１２］，および［００４５］）
【特許文献１１】
特開平１０−４９６１３号公報（段落［０００８］〜［００１９］，および［００４２］〜［００４６］）
【特許文献１２】
特開平１０−５６６７４号公報（段落［０００５］〜［００３１］，および［００７８］〜［００９０］）
【特許文献１３】
特開平１１−２０５５１５号公報（段落［０００２］〜［００１２］，および［００４６］）
【特許文献１４】
特開平１１−２１５２９３号公報（段落［０００５］〜［００１８］，［００３３］，および［００３４］）
【０２９６】
【発明が解決しようとする課題】
上述した従来、外出先等における突然のデータを取り込みたい場面に遭遇した場合は、
第１の問題点は、ビジネスシーンなどで突然、手書き文字や、画像データを取り込みたい場面に遭遇した場合、迅速に対応することができない。
【０２９７】
その理由は、データを取り込みたいとき、パソコンとスキャナが必要であるが、パソコンとスキャナを持ち運びするには、携帯性に欠けることである。
【０２９８】
本発明の目的は、現在大多数の人が所持している携帯電話にスキャナ機能を実装させることにより、ビジネスシーンなどで突然データを取り込みたい場面に遭遇した場合も迅速に対応することができ、また文字データを取り込めることから携帯電話やパソコンへの入力を容易にできる携帯電話のスキャナシステムとスキャン方法を提供することにある。
【０２９９】
【課題を解決するための手段】
第１の発明の携帯電話のスキャナシステムは、携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた情報を外部のパソコンへ転送する場合、携帯電話の主機能として移動通信網との送受信に使用するアンテナと移動通信網との送受信に使用する電波を制御する無線回路とを用いて外部のパソコンの無線送受信部とインターフェースできるように送信電力を落すように調整する送信電力調整回路とを備え、スキャナにより読み取った情報を携帯電話内のメモリに保存し、外部のパソコンへスキャナにより読み取られた情報を携帯電話のアンテナと無線回路を使用して送信電力調整回路により、無線回路の電波の送信出力電力を、移動通信網へは届かない近接のパソコンに届く低出力電力に調整するようにした電波により情報を転送することを特徴とする携帯電話のスキャナシステム。
【０３００】
また、第２の発明の携帯電話のスキャナシステムは、携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた情報を外部のパソコンへ転送する場合、スキャナにより読み取られた情報を外部のパソコンのコネクタとインターフェースする有線用のコネクタとを備え、スキャナにより読み取った情報を携帯電話内のメモリに保存し、外部のパソコンへスキャナにより読み取られた情報を携帯電話のコネクタを使用して情報を転送することを特徴とする携帯電話のスキャナシステム。
【０３０１】
また、第３の発明の携帯電話のスキャナシステムは、携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた情報を外部のパソコンへ転送する場合、スキャナにより読み取られた情報を光により外部のパソコンの光通信送受信部とインターフェースする光信号の送受信を制御する光通信回路と、光通信回路の制御のもとに送信光信号を送信するフォトダイオードおよび受信光信号を受信するフォトトランジスタからなる光通信送受信部とを備え、スキャナにより読み取った情報を携帯電話内のメモリに保存し、外部のパソコンへスキャナにより読み取られた情報を携帯電話の光通信送受信部を使用して情報を転送することを特徴とする携帯電話のスキャナシステム。
【０３０２】
また、第４の発明の携帯電話のスキャナシステムは、携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイとを備え、スキャナにより読み取られた情報を外部のパソコンへ転送する場合、携帯電話の主機能として移動通信網との送受信に使用するアンテナと移動通信網との送受信に使用する電波を制御する無線回路とを用いて外部のパソコンの無線送受信部とインターフェースし、スキャナにより読み取った情報を携帯電話内のメモリに保存し、外部のパソコンへスキャナにより読み取られた情報を電波により情報を転送することを特徴とする携帯電話のスキャナシステム。
【０３０３】
また、第５の発明の携帯電話のスキャナシステムは、携帯電話は、被読み取り物の画像情報をイメージ・スキャナ機能で読み取るスキャナと、スキャナの読み取り窓と、スキャナの読み取り窓を経てスキャナにより読み取られた画像情報を画像のままのイメージ情報として、またはイメージ情報を文字情報に変換し、コード情報として保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた画像情報を画像のままのイメージ情報として、またはイメージ情報を文字情報に変換されたコード情報として外部のパソコンのコネクタとインターフェースする有線用のコネクタと、光により外部のパソコンの光通信送受信部とインターフェースする光信号の送受信を制御する光通信回路と、光通信回路の制御のもとに送信光信号を送信するフォトダイオードおよび受信光信号を受信するフォトトランジスタからなる光通信送受信部と、携帯電話の主機能として移動通信網との送受信に使用するアンテナと移動通信網との送受信に使用する電波を制御する無線回路とを用いて外部のパソコンの無線送受信部とインターフェースできるように送信電力を落すように調整する送信電力調整回路とを備え、スキャナにより読み取った情報を携帯電話内のメモリに保存し、外部のパソコンへスキャナにより読み取られた情報を、携帯電話のアンテナと無線回路を使用して送信電力調整回路により、無線回路の電波の送信出力電力を、移動通信網へは届かない近接のパソコンに届く低出力電力に調整するようにした電波により情報を転送し、または、外部のパソコンへスキャナにより読み取られた情報を携帯電話のコネクタを使用して情報を転送し、または、外部のパソコンへスキャナにより読み取られた情報を携帯電話の光通信送受信部を使用して情報を転送することを特徴とする携帯電話のスキャナシステム。
【０３０４】
また、第６の発明の携帯電話のスキャナシステムは、携帯電話は、被読み取り物の画像情報をイメージ・スキャナ機能で読み取るスキャナと、スキャナの読み取り窓と、スキャナの読み取り窓を経てスキャナにより読み取られた画像情報を画像のままのイメージ情報として、またはイメージ情報を文字情報に変換し、コード情報として保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた画像情報を画像のままのイメージ情報として、またはイメージ情報を文字情報に変換されたコード情報として外部のパソコンのコネクタとインターフェースする有線用のコネクタと、光により外部のパソコンの光通信送受信部とインターフェースする光信号の送受信を制御する光通信回路と、光通信回路の制御のもとに送信光信号を送信するフォトダイオードおよび受信光信号を受信するフォトトランジスタからなる光通信送受信部と、携帯電話の主機能として移動通信網との送受信に使用するアンテナと移動通信網との送受信に使用する電波を制御する無線回路とを備え、移動通信網との送受信に使用するアンテナと移動通信網との送受信に使用する電波を制御する無線回路とを用いて外部のパソコンの無線送受信部とインターフェースし、スキャナにより読み取った情報を携帯電話内のメモリに保存し、外部のパソコンへスキャナにより読み取られた情報を、携帯電話のアンテナと無線回路を使用して電波により情報を転送し、または、外部のパソコンへスキャナにより読み取られた情報を携帯電話のコネクタを使用して情報を転送し、または、外部のパソコンへスキャナにより読み取られた情報を携帯電話の光通信送受信部を使用して情報を転送することを特徴とする携帯電話のスキャナシステム。
【０３０５】
また、第７の発明の携帯電話のスキャン方法は、携帯電話のスキャナシステムにおけるスキャン方法であって、携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた情報を外部のパソコンへ転送する場合、携帯電話の主機能として移動通信網との送受信に使用するアンテナと移動通信網との送受信に使用する電波を制御する無線回路とを用いて外部のパソコンの無線送受信部とインターフェースできるように送信電力を落すように調整する送信電力調整回路とを備え、スキャナにより読み取った情報を携帯電話内のメモリに保存し、外部のパソコンへスキャナにより読み取られた情報を携帯電話のアンテナと無線回路を使用して送信電力調整回路により、無線回路の電波の送信出力電力を、移動通信網へは届かない近接のパソコンに届く低出力電力に調整するようにした電波により情報を転送することを特徴とする携帯電話のスキャン方法。
【０３０６】
また、第８の発明の携帯電話のスキャン方法は、携帯電話のスキャナシステムにおけるスキャン方法であって、携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた情報を外部のパソコンへ転送する場合、スキャナにより読み取られた情報を外部のパソコンのコネクタとインターフェースする有線用のコネクタとを備え、スキャナにより読み取った情報を携帯電話内のメモリに保存し、外部のパソコンへスキャナにより読み取られた情報を携帯電話のコネクタを使用して情報を転送することを特徴とする携帯電話のスキャン方法。
【０３０７】
また、第９の発明の携帯電話のスキャン方法は、携帯電話のスキャナシステムにおけるスキャン方法であって、携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた情報を外部のパソコンへ転送する場合、スキャナにより読み取られた情報を光により外部のパソコンの光通信送受信部とインターフェースする光信号の送受信を制御する光通信回路と、光通信回路の制御のもとに送信光信号を送信するフォトダイオードおよび受信光信号を受信するフォトトランジスタからなる光通信送受信部とを備え、スキャナにより読み取った情報を携帯電話内のメモリに保存し、外部のパソコンへスキャナにより読み取られた情報を携帯電話の光通信送受信部を使用して情報を転送することを特徴とする携帯電話のスキャン方法。
【０３０８】
また、第１０の発明の携帯電話のスキャン方法は、携帯電話のスキャナシステムにおけるスキャン方法であって、携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイとを備え、スキャナにより読み取られた情報を外部のパソコンへ転送する場合、携帯電話の主機能として移動通信網との送受信に使用するアンテナと移動通信網との送受信に使用する電波を制御する無線回路とを用いて外部のパソコンの無線送受信部とインターフェースし、スキャナにより読み取った情報を携帯電話内のメモリに保存し、外部のパソコンへスキャナにより読み取られた情報を電波により情報を転送することを特徴とする携帯電話のスキャン方法。
【０３０９】
また、第１１の発明の携帯電話のスキャン方法は、携帯電話のスキャナシステムにおけるスキャン方法であって、携帯電話は、被読み取り物の画像情報をイメージ・スキャナ機能で読み取るスキャナと、スキャナの読み取り窓と、スキャナの読み取り窓を経てスキャナにより読み取られた画像情報を画像のままのイメージ情報として、またはイメージ情報を文字情報に変換し、コード情報として保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた画像情報を画像のままのイメージ情報として、またはイメージ情報を文字情報に変換されたコード情報として外部のパソコンのコネクタとインターフェースする有線用のコネクタと、光により外部のパソコンの光通信送受信部とインターフェースする光信号の送受信を制御する光通信回路と、光通信回路の制御のもとに送信光信号を送信するフォトダイオードおよび受信光信号を受信するフォトトランジスタからなる光通信送受信部と、携帯電話の主機能として移動通信網との送受信に使用するアンテナと移動通信網との送受信に使用する電波を制御する無線回路とを用いて外部のパソコンの無線送受信部とインターフェースできるように送信電力を落すように調整する送信電力調整回路とを備え、スキャナにより読み取った情報を携帯電話内のメモリに保存し、外部のパソコンへスキャナにより読み取られた情報を、携帯電話のアンテナと無線回路を使用して送信電力調整回路により、無線回路の電波の送信出力電力を、移動通信網へは届かない近接のパソコンに届く低出力電力に調整するようにした電波により情報を転送し、または、外部のパソコンへスキャナにより読み取られた情報を携帯電話のコネクタを使用して情報を転送し、または、外部のパソコンへスキャナにより読み取られた情報を携帯電話の光通信送受信部を使用して情報を転送することを特徴とする携帯電話のスキャン方法。
【０３１０】
また、第１２の発明の携帯電話のスキャン方法は、携帯電話のスキャナシステムにおけるスキャン方法であって、携帯電話は、被読み取り物の画像情報をイメージ・スキャナ機能で読み取るスキャナと、スキャナの読み取り窓と、スキャナの読み取り窓を経てスキャナにより読み取られた画像情報を画像のままのイメージ情報として、またはイメージ情報を文字情報に変換し、コード情報として保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた画像情報を画像のままのイメージ情報として、またはイメージ情報を文字情報に変換されたコード情報として外部のパソコンのコネクタとインターフェースする有線用のコネクタと、光により外部のパソコンの光通信送受信部とインターフェースする光信号の送受信を制御する光通信回路と、光通信回路の制御のもとに送信光信号を送信するフォトダイオードおよび受信光信号を受信するフォトトランジスタからなる光通信送受信部と、携帯電話の主機能として移動通信網との送受信に使用するアンテナと移動通信網との送受信に使用する電波を制御する無線回路とを備え、移動通信網との送受信に使用するアンテナと移動通信網との送受信に使用する電波を制御する無線回路とを用いて外部のパソコンの無線送受信部とインターフェースし、スキャナにより読み取った情報を携帯電話内のメモリに保存し、外部のパソコンへスキャナにより読み取られた情報を、携帯電話のアンテナと無線回路を使用して電波により情報を転送し、または、外部のパソコンへスキャナにより読み取られた情報を携帯電話のコネクタを使用して情報を転送し、または、外部のパソコンへスキャナにより読み取られた情報を携帯電話の光通信送受信部を使用して情報を転送することを特徴とする携帯電話のスキャン方法。
【０３１１】
また、第１３の発明のプログラムは、携帯電話のスキャナシステムにおけるスキャン処理において、携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた情報を外部のパソコンへ転送する場合、携帯電話の主機能として移動通信網との送受信に使用するアンテナと移動通信網との送受信に使用する電波を制御する無線回路とを用いて外部のパソコンの無線送受信部とインターフェースできるように送信電力を落すように調整する送信電力調整回路とを備え、スキャナにより読み取った情報を携帯電話内のメモリに保存し、外部のパソコンへスキャナにより読み取られた情報を携帯電話のアンテナと無線回路を使用して送信電力調整回路により、無線回路の電波の送信出力電力を、移動通信網へは届かない近接のパソコンに届く低出力電力に調整するようにした電波により情報を転送する処理をコンピュータに実行させるためのプログラム。
【０３１２】
また、第１４の発明のプログラムは、携帯電話のスキャナシステムにおけるスキャン処理において、携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた情報を外部のパソコンへ転送する場合、スキャナにより読み取られた情報を外部のパソコンのコネクタとインターフェースする有線用のコネクタとを備え、スキャナにより読み取った情報を携帯電話内のメモリに保存し、外部のパソコンへスキャナにより読み取られた情報を携帯電話のコネクタを使用して情報を転送する処理をコンピュータに実行させるためのプログラム。
【０３１３】
また、第１５の発明のプログラムは、携帯電話のスキャナシステムにおけるスキャン処理において、携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた情報を外部のパソコンへ転送する場合、スキャナにより読み取られた情報を光により外部のパソコンの光通信送受信部とインターフェースする光信号の送受信を制御する光通信回路と、光通信回路の制御のもとに送信光信号を送信するフォトダイオードおよび受信光信号を受信するフォトトランジスタからなる光通信送受信部とを備え、スキャナにより読み取った情報を携帯電話内のメモリに保存し、外部のパソコンへスキャナにより読み取られた情報を携帯電話の光通信送受信部を使用して情報を転送する処理をコンピュータに実行させるためのプログラム。
【０３１４】
また、第１６の発明のプログラムは、携帯電話のスキャナシステムにおけるスキャン処理において、携帯電話は、被読み取り物の画像情報をイメージ・スキャナ機能で読み取るスキャナと、スキャナの読み取り窓と、スキャナの読み取り窓を経てスキャナにより読み取られた情報を保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイとを備え、スキャナにより読み取られた情報を外部のパソコンへ転送する場合、携帯電話の主機能として移動通信網との送受信に使用するアンテナと移動通信網との送受信に使用する電波を制御する無線回路とを用いて外部のパソコンの無線送受信部とインターフェースし、スキャナにより読み取った情報を携帯電話内のメモリに保存し、外部のパソコンへスキャナにより読み取られた情報を電波により情報を転送する処理をコンピュータに実行させるためのプログラム。
【０３１５】
また、第１７の発明のプログラムは、携帯電話のスキャナシステムにおけるスキャン処理において、携帯電話は、被読み取り物の画像情報をイメージ・スキャナ機能で読み取るスキャナと、スキャナの読み取り窓と、スキャナの読み取り窓を経てスキャナにより読み取られた画像情報を画像のままのイメージ情報として、またはイメージ情報を文字情報に変換し、コード情報として保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた画像情報を画像のままのイメージ情報として、またはイメージ情報を文字情報に変換されたコード情報として外部のパソコンのコネクタとインターフェースする有線用のコネクタと、光により外部のパソコンの光通信送受信部とインターフェースする光信号の送受信を制御する光通信回路と、光通信回路の制御のもとに送信光信号を送信するフォトダイオードおよび受信光信号を受信するフォトトランジスタからなる光通信送受信部と、携帯電話の主機能として移動通信網との送受信に使用するアンテナと移動通信網との送受信に使用する電波を制御する無線回路とを用いて外部のパソコンの無線送受信部とインターフェースできるように送信電力を落すように調整する送信電力調整回路とを備え、スキャナにより読み取った情報を携帯電話内のメモリに保存し、外部のパソコンへスキャナにより読み取られた情報を、携帯電話のアンテナと無線回路を使用して送信電力調整回路により、無線回路の電波の送信出力電力を、移動通信網へは届かない近接のパソコンに届く低出力電力に調整するようにした電波により情報を転送し、または、外部のパソコンへスキャナにより読み取られた情報を携帯電話のコネクタを使用して情報を転送し、または、外部のパソコンへスキャナにより読み取られた情報を携帯電話の光通信送受信部を使用して情報を転送する処理をコンピュータに実行させるためのプログラム。
【０３１６】
また、第１８の発明のプログラムは、携帯電話のスキャナシステムにおけるスキャン処理において、携帯電話は、被読み取り物の画像情報をイメージ・スキャナ機能で読み取るスキャナと、スキャナの読み取り窓と、スキャナの読み取り窓を経てスキャナにより読み取られた画像情報を画像のままのイメージ情報として、またはイメージ情報を文字情報に変換し、コード情報として保存する携帯電話の主機能として持っているメモリと、文字、数字よび各種機能指示入力するキーボードと、携帯電話の主機能として移動通信網との送受信に使用するアンテナと、移動通信網との送受信に使用する電波を制御する無線回路と、携帯電話の主機能を含む各種機能を制御する制御回路と、携帯電話の各種表示を行うディスプレイと、スキャナにより読み取られた画像情報を画像のままのイメージ情報として、またはイメージ情報を文字情報に変換されたコード情報として外部のパソコンのコネクタとインターフェースする有線用のコネクタと、光により外部のパソコンの光通信送受信部とインターフェースする光信号の送受信を制御する光通信回路と、光通信回路の制御のもとに送信光信号を送信するフォトダイオードおよび受信光信号を受信するフォトトランジスタからなる光通信送受信部と、携帯電話の主機能として移動通信網との送受信に使用するアンテナと移動通信網との送受信に使用する電波を制御する無線回路とを備え、移動通信網との送受信に使用するアンテナと移動通信網との送受信に使用する電波を制御する無線回路とを用いて外部のパソコンの無線送受信部とインターフェースし、スキャナにより読み取った情報を携帯電話内のメモリに保存し、外部のパソコンへスキャナにより読み取られた情報を、携帯電話のアンテナと無線回路を使用して電波により情報を転送し、または、外部のパソコンへスキャナにより読み取られた情報を携帯電話のコネクタを使用して情報を転送し、または、外部のパソコンへスキャナにより読み取られた情報を携帯電話の光通信送受信部を使用して情報を転送する処理をコンピュータに実行させるためのプログラム。
【０３１７】
【発明の実施の形態】
次に、本発明の実施の形態について図面を参照して説明する。
【０３１８】
図１は本発明の携帯電話のスキャナシステムとスキャン方法の一実施の形態を示すブロック図である。
【０３１９】
外出先時ビジネスシーンなどでにおける突然のデータを取り込みたい場面に遭遇した場合は、突然、手書き文字や、画像データを取り込みたい場面に遭遇した場合、迅速に対応することができない。
【０３２０】
データを取り込みたいとき、パソコンとスキャナが必要であるが、パソコンとスキャナを持ち運びするには、携帯性に欠ける。
【０３２１】
本発明の目的は、現在大多数の人が所持している携帯電話にスキャナ機能を実装させることにより、ビジネスシーンなどで突然データを取り込みたい場面に遭遇した場合も迅速に対応することができ、また文字データを取り込めることから携帯電話やパソコンへの入力を容易にできる携帯電話のスキャナシステムとスキャン方法を提供することにある。
【０３２２】
図１を参照すると、携帯電話１は、携帯電話１への入力に、手書き文字、印刷物、または写真等の被読み取り物１００の画像情報を、携帯電話１に実装したイメージ・スキャナ機能を備えたスキャナ２により、携帯電話１へ取り込み、入力情報とし活用するものである。
【０３２３】
携帯電話１は、被読み取り物１００の画像情報をイメージ・スキャナ機能で読み取るスキャナ２と、スキャナの読み取り窓２０と、スキャナの読み取り窓２０を経てスキャナ２により読み取られた画像情報を画像のままのイメージ情報として、またはイメージ情報を文字情報に変換し、コード情報として保存する携帯電話１の主機能として持っているメモリ８と、文字、数字よび各種機能指示入力するキーボード７と、携帯電話１の主機能として移動通信網３００との送受信に使用するアンテナ５と、移動通信網３００との送受信に使用する電波を制御する無線回路１１と、携帯電話１の主機能を含む各種機能を制御する制御回路９と、携帯電話１の各種表示を行うディスプレイ６と、スキャナ２により読み取られた画像情報を画像のままのイメージ情報として、またはイメージ情報を文字情報に変換されたコード情報として外部のパソコン２００のコネクタ２０３とインターフェースする有線（ケーブル接続による（ＵＳＢ２．０、ＩＥＥＥ１３９４等））用のコネクタ３と、光（赤外線等）により外部のパソコン２００の光通信送受信部２０４とインターフェースする光信号の送受信を制御する光通信回路１２と、光通信回路１２の制御のもとに送信光信号を送信するフォトダイオード４０および受信光信号を受信するフォトトランジスタ４１からなる光通信送受信部４と、携帯電話１の主機能として移動通信網３００との送受信に使用するアンテナ５と移動通信網３００との送受信に使用する電波を制御する無線回路１１とを用いて外部のパソコン２００の無線送受信部２０５とインターフェースできるように送信電力を落すように調整する送信電力調整回路１０と、から構成されている。
【０３２４】
図２は本発明の携帯電話のスキャナシステムとスキャン方法の一実施の形態を示す一体型携帯電話の構成図である。
【０３２５】
図３は本発明の携帯電話のスキャナシステムとスキャン方法の一実施の形態を示す折りたたみ型携帯電話の構成図である。
【０３２６】
携帯電話１の構成として２つのタイプがあり、図２に示すように１つはキーボード７およびディスプレイ６が同一面に配置され一体化された一体型と、もう片方は図３に示すようにキーボード７の部分とディスプレイ６の部分が可動可能に分離して配置された折りたたみ型のものがある。
【０３２７】
被読み取り物１００の画像情報をイメージ・スキャナ機能で読み取るスキャナ２のスキャナの読み取り窓２０はスキャンする幅が広く確保できる長手方向の携帯電話１の側面に配置され（背面に配置されでもよい）、また、外部のパソコン２００とインターフェースする有線用のコネクタ３と、光によりインターフェースする光通信送受信部４は携帯電話１の手前側面に配置される（コネクタ３と光通信送受信部４はスキャナの読み取り窓２０と同一面以外であれば配置可能である）。ここで、光通信送受信部４は、スキャナの読み取り窓２０により被読み取り物１００の画像情報を読み取る姿勢状態とその読み取った画像情報を外部のパソコ２００へ直接そのまま転送する場合は、光通信送受信部４はパソコン２００の光通信送受信部２０４と対抗させる必要があることから方向調整可能な構造にする必要がある。一旦携帯電話１のメモリ８に保存した後にパソコン２００に送信する方式の場合、方向調整可能な構造にする必要はない。
【０３２８】
次に、本発明の実施の形態の動作について、図１，図２，および図３を参照して詳細に説明する。
【０３２９】
携帯電話１は、スキャナの読み取り窓２０により被読み取り物１００の画像の上からなぞるように動かして画像情報を読み取る。
【０３３０】
読み取った文字および画像の画像情報の処理方法としては次のような方法により処理される。
【０３３１】
（１）キーボード７の指示キーＡを押下することでスキャナ２により読み取られた画像情報は携帯電話１内のメモリ８に画像情報のままの状態で保存する。
【０３３２】
メモリ８に保存する単位は連続したなぞり単位の１スキャンの開始キーＳと終了キーＰ押下までの画像情報としファイル名を付加し保存する。
【０３３３】
（２）キーボード７の指示キーＢを押下することで外部のパソコ２００へスキャナ２により読み取られた画像情報は直接そのまま携帯電話１のアンテナ５、コネクタ３、または光通信送受信部４を経て、パソコン２００のそれぞれ無線送受信部２０５、コネクタ２０３、または光通信送受信部２０４へ画像情報を転送する。
【０３３４】
転送する単位は連続したなぞり単位の１スキャンの開始キーＳと終了キーＰ押下までの画像情報としファイル名を付加しパソコン２００に保存する。
【０３３５】
（３）キーボード７の指示キーＣを押下することでスキャナ２により読み取られた画像情報の中の文字情報は携帯電話１の制御回路９に内臓された文字認識機能により文字情報に読み取りながら変換し、携帯電話１内のメモリ８に保存する。
【０３３６】
メモリ８に保存する単位は連続したなぞり単位の１スキャンの開始キーＳと終了キーＰ押下までの文字情報としファイル名を付加し保存する。
【０３３７】
（４）キーボード７の指示キーＤを押下することで外部のパソコ２００へスキャナ２により読み取られた画像情報の中の文字情報は携帯電話１の制御回路９に内臓された文字認識機能により文字情報に読み取りながら変換し、携帯電話１のアンテナ５、コネクタ３、または光通信送受信部４を経て、パソコン２００のそれぞれ無線送受信部２０５、コネクタ２０３、または光通信送受信部２０４へ文字情報を転送する。
【０３３８】
転送する単位は連続したなぞり単位の１スキャンの開始キーＳと終了キーＰ押下までの文字情報としファイル名を付加しパソコン２００に保存する。
【０３３９】
（５）キーボード７の指示キーＥを押下することで携帯電話１内のメモリ８にスキャナ２により読み取られた画像情報のままの状態で保存するするとともに、外部のパソコ２００へ、携帯電話１のアンテナ５、コネクタ３、または光通信送受信部４を経て、パソコン２００のそれぞれ無線送受信部２０５、コネクタ２０３、または光通信送受信部２０４へ画像情報を転送する。
【０３４０】
メモリ８に保存する単位は連続したなぞり単位の１スキャンの開始キーＳと終了キーＰ押下までの画像情報としファイル名を付加し保存する。
【０３４１】
転送する単位は連続したなぞり単位の１スキャンの開始キーＳと終了キーＰ押下までの画像情報としファイル名を付加しパソコン２００に保存する。
【０３４２】
（６）キーボード７の指示キーＦを押下することでスキャナ２により読み取られた画像情報の中の文字情報は携帯電話１の制御回路９に内臓された文字認識機能により文字情報に読み取りながら変換し、携帯電話１内のメモリ８に保存するとともに、外部のパソコ２００へ、携帯電話１のアンテナ５、コネクタ３、または光通信送受信部４を経てパソコン２００のそれぞれ無線送受信部２０５、コネクタ２０３、または光通信送受信部２０４へ文字情報を転送する。
【０３４３】
メモリ８に保存する単位は連続したなぞり単位の１スキャンの開始キーＳと終了キーＰ押下までの文字情報としファイル名を付加し保存する。
【０３４４】
転送する単位は連続したなぞり単位の１スキャンの開始キーＳと終了キーＰ押下までの文字情報としファイル名を付加しパソコン２００に保存する。
【０３４５】
（７）キーボード７の指示キーＧを押下することで携帯電話１内のメモリ８にスキャナ２により読み取られた画像情報のままの状態で保存するするとともに、スキャナ２により読み取られた画像情報の中の文字情報は携帯電話１の制御回路９に内臓された文字認識機能により文字情報に読み取りながら変換し、外部のパソコ２００へ、携帯電話１のアンテナ５、コネクタ３、または光通信送受信部４を経てパソコン２００のそれぞれ無線送受信部２０５、コネクタ２０３、または光通信送受信部２０４へ文字情報を転送する。
【０３４６】
メモリ８に保存する単位は連続したなぞり単位の１スキャンの開始キーＳと終了キーＰ押下までの画像情報としファイル名を付加し保存する。
【０３４７】
転送する単位は連続したなぞり単位の１スキャンの開始キーＳと終了キーＰ押下までの文字情報としファイル名を付加しパソコン２００に保存する。
【０３４８】
（８）キーボード７の指示キーＨを押下することでスキャナ２により読み取られた画像情報の中の文字情報は携帯電話１の制御回路９に内臓された文字認識機能により文字情報に読み取りながら変換し、携帯電話１内のメモリ８に保存するとともに、スキャナ２により読み取られた画像情報のままの状態で、外部のパソコ２００へ、携帯電話１のアンテナ５、コネクタ３、または光通信送受信部４を経てパソコン２００のそれぞれ無線送受信部２０５、コネクタ２０３、または光通信送受信部２０４へ文字情報を転送する。
【０３４９】
メモリ８に保存する単位は連続したなぞり単位の１スキャンの開始キーＳと終了キーＰ押下までの文字情報としファイル名を付加し保存する。
【０３５０】
転送する単位は連続したなぞり単位の１スキャンの開始キーＳと終了キーＰ押下までの画像情報としファイル名を付加しパソコン２００に保存する。
【０３５１】
次に、（１），（３），および（５）から（８）で携帯電話１内のメモリ８に保存されたファイルは、そのまま携帯電話１から電子メールとして送信することもでき、また、外部のパソコ２００へ、携帯電話１のアンテナ５、コネクタ３、または光通信送受信部４を経て、パソコン２００のそれぞれ無線送受信部２０５、コネクタ２０３、または光通信送受信部２０４へ転送することもできる。
【０３５２】
さらに、（１），（４），および（７）で携帯電話１内のメモリ８に画像情報として保存されたファイルは、携帯電話１の制御回路９に内臓された文字認識機能により画像情報の文字情報変換範囲を指定し文字情報に変換し、ファイルを編集し、携帯電話１から電子メールとして送信することもでき、また、外部のパソコ２００へ、携帯電話１のアンテナ５、コネクタ３、または光通信送受信部４を経て、パソコン２００のそれぞれ無線送受信部２０５、コネクタ２０３、または光通信送受信部２０４へ転送することもできる。
【０３５３】
（１）から（８）で説明した指示キーＡ、Ｂ、〜Ｈ、Ｓ、またはＰは、携帯電話１にそれ専用キーとして設けてもよいが、既存の数字キーや機能キーの組合せによるキーを割り付けてもよい。
【０３５４】
また、外部のパソコ２００へ、携帯電話１のアンテナ５と無線回路１１を使用して電波により情報を転送する場合は、通常、携帯電話１が移動通信網３００との通信に使用している電波を使用する方法で、移動通信網３００との通信かパソコン２００との通信かの切替指示キーを使用する必要があるが、送信電力調整回路１０により、無線回路１１の電波の送信出力電力を、移動通信網３００へは届かない近接のパソコン２００に届く低出力電力に調整するようにし、移動通信網３００との通信かパソコン２００との通信かの切替指示キーを使用しないで済むようにすることができる。
【０３５５】
【発明の効果】
以上説明したように、本発明の携帯電話のスキャナシステムとスキャン方法は、
第１の効果は、外出先時ビジネスシーンなどでにおける突然のデータを取り込みたい場面に遭遇した場合、手書き文字や、画像データを取り込みたい場面に遭遇した場合、迅速に対応し、手書き文字や、画像を迅速に電子化できることである。
【０３５６】
その理由は、大多数の人が所持している非常に携帯性に優れた携帯電話にイメージ・スキャナ機能を実装させ、画像を入力するようにしたからである。
【０３５７】
第２の効果は、携帯電話で取り込んだ手書き文字や、画像をパソコンにリアルタイムで転送し、使用できることである。
【０３５８】
その理由は、携帯電話とパソコン間にインターフェースを設け、イメージ・スキャナ機能を実装させ、画像を入力するようにしたからである。
【０３５９】
第３の効果は、携帯電話やパソコンへの文字入力装置としての使用ができることである。
【０３６０】
その理由は、携帯電話にイメージ・スキャナ機能を実装させ、画像を入力し、携帯電話の文字認識機能により、画像情報から文字情報への変換を行うからである。
【図面の簡単な説明】
【図１】本発明の携帯電話のスキャナシステムとスキャン方法の一実施の形態を示すブロック図である。
【図２】本発明の携帯電話のスキャナシステムとスキャン方法の一実施の形態を示す一体型携帯電話の構成図である。
【図３】本発明の携帯電話のスキャナシステムとスキャン方法の一実施の形態を示す折りたたみ型携帯電話の構成図である。
【符号の説明】
１      携帯電話
２    スキャナ
３，２０３    コネクタ
４，２０４    光通信送受信部
５    アンテナ
６    ディスプレイ
７    キーボード
８    メモリ
９    制御回路
１０    送信電力調整回路
１１    無線回路
１２    光通信回路
２０    スキャナの読み取り窓
４０    フォトダイオード
４１    フォトトランジスタ
１００    被読み取り物
２００    パソコン
２０５    無線送受信部
３００    移動通信網
【図１】
2004179994.tif 000003
【図２】
2004179994.tif 000004
【図３】
2004179994.tif 000005